(57)【要約】      （修正有）【課題】拡張型マルチユーザ多入力多出力（ＭＵ―ＭＩＭＯ）において、単一のアクセスポイントと、複数のステーションとのワイヤレス通信のための方法を提供する。【解決手段】アクセスポイント（ＡＰ）は、要求（トレーニングまたはＲＴＳ）メッセージを複数のステーション（ＳＴＡ）に送信し、複数のＳＴＡのそれぞれが要求（トレーニングまたはＲＴＳ）メッセージに応答してメッセージ（サウンディングメッセージ）を送信すべきときを示すスケジューリング情報を提供する。ＡＰは、スケジューリング情報に従って送信された１つまたは複数の応答（サウンディングメッセージ）を、ＳＴＡから受信する。ＡＰは、送信情報（チャネル行列）を、少なくとも応答（サウンディングメッセージ）に基づいて計算し、計算された送信情報（チャネル行列）を使用してデータ（空間分割多元接続（ＳＤＭＡ）データフレーム）を複数のＳＴＡに同時に（並行して）送信する。【選択図】図４
2015029292.tif 000002
【特許請求の範囲】
【請求項１】
複数の装置のそれぞれが要求メッセージに応答してメッセージを送信すべきときを示すスケジューリング情報を備える前記要求メッセージを前記複数の装置に送信することと、
前記スケジューリング情報に従って送信された１つまたは複数の応答メッセージを前記複数の装置から受信することと、
少なくとも前記応答メッセージに基づいて送信情報を計算することと、
前記計算された送信情報を使用してデータを前記複数の装置に同時に送信することと
を備えるワイヤレス通信のための方法。
【請求項２】
前記要求メッセージが、トレーニング要求メッセージ（ＴＲＭ）または送信要求（ＲＴＳ）メッセージのうちの少なくとも１つを備える請求項１に記載の方法。
【請求項３】
前記要求メッセージがＴＲＭメッセージを備え、
前記応答メッセージが、１つまたは複数の送信可（ＣＴＳ）メッセージを受信した後受信される１つまたは複数のサウンディングフレームを備える
請求項２に記載の方法。
【請求項４】
前記サウンディングフレームが、チャネルサウンディングフレーム、チャネル品質インジケータ（ＣＱＩ）、または要求情報のうちの少なくとも１つを備える請求項３に記載の方法。
【請求項５】
前記要求メッセージが、前記要求メッセージを受信する前記複数の装置のサブセットのみに応答を求める請求項１に記載の方法。
【請求項６】
前記複数の装置のサブセットが、どの装置が古いチャネル状態情報を有するかに基づいて選択される請求項５に記載の方法。
【請求項７】
前記複数の装置のサブセットが、前記複数の装置の位置に基づいて選択される請求項５に記載の方法。
【請求項８】
前記要求メッセージが、少なくとも前記応答メッセージのためにワイヤレス媒体を確保するための継続時間フィールドを備える請求項１に記載の方法。
【請求項９】
前記要求メッセージが、肯定応答メッセージの送信までワイヤレス媒体を確保するための継続時間フィールドを備える請求項１に記載の方法。
【請求項１０】
前記スケジューリング情報が、前記複数の装置によって応答メッセージを送るための決定論的なバックオフ時間を備える請求項１に記載の方法。
【請求項１１】
前記スケジューリング情報が、前記複数の装置によって応答メッセージを送るためのスケジュールされた送信時間を備える請求項１に記載の方法。
【請求項１２】
前記スケジューリング情報が、応答メッセージを送るべきときを決定するために、前記複数の装置のそれぞれによって使用するためのシーケンス番号を備える請求項１に記載の方法。
【請求項１３】
前記複数の装置が前記データの受信に肯定応答するブロック肯定応答（ＢＡ）を送るべきときを示すＢＡスケジューリング情報を前記データと共に送信することと、
前記ＢＡスケジューリング情報に従ってＢＡを受信することと
をさらに備える請求項１に記載の方法。
【請求項１４】
前記ＢＡがシリアルな方法で前記複数の装置から送られる請求項１３に記載の方法。
【請求項１５】
前記ＢＡが前記複数の装置から同時に送られる請求項１３に記載の方法。
【請求項１６】
前記ＢＡが長いサイクリックプレフィックス（ＣＰ）と共に送られる請求項１５に記載の方法。
【請求項１７】
前記データと共に前記送信情報を送ることをさらに含み、前記ＢＡが、前記送信情報を使用して送られる
請求項１３に記載の方法。
【請求項１８】
前記送信情報が、時間オフセット、電力オフセット、または周波数オフセットのうちの少なくとも１つを備える請求項１７に記載の方法。
【請求項１９】
前記送信情報を使用して前記データを前記複数の装置に同時に送信することが、
前記データを異なるフレームで、前記複数の装置の異なるサブセットに送信することを備える
請求項１に記載の方法。
【請求項２０】
前記データを保護するために、送信可（ＣＴＳ）メッセージを送信すること
をさらに備える請求項１に記載の方法。
【請求項２１】
複数の装置のそれぞれが要求メッセージに応答してメッセージを送信すべきときを示すスケジューリング情報を備える前記要求メッセージを装置から受信することと、
前記スケジューリング情報に従って前記応答メッセージを前記装置に送信することと、
データを前記装置から受信することと、受信されたデータは前記装置から前記複数の装置に同時に送信されたデータの一部である
を備えるワイヤレス通信のための方法。
【請求項２２】
前記要求メッセージが、トレーニング要求メッセージ（ＴＲＭ）を備え、
前記応答メッセージを送信することが、送信可メッセージを送信した後、サウンディングフレームを送信することを備える
請求項２１に記載の方法。
【請求項２３】
前記サウンディングフレームが、チャネルサウンディングフレーム、チャネル品質インジケータ（ＣＱＩ）、または要求情報のうちの少なくとも１つを備える請求項２２に記載の方法。
【請求項２４】
前記要求メッセージが、前記要求メッセージを受信する複数の装置のサブセットのみに応答を求める請求項２１に記載の方法。
【請求項２５】
前記複数の装置のサブセットが、どの装置が古いチャネル状態情報を有するかに基づいて選択される請求項２４に記載の方法。
【請求項２６】
前記要求メッセージが、少なくとも前記応答メッセージのためにワイヤレス媒体を確保するための継続時間フィールドを備える請求項２１に記載の方法。
【請求項２７】
前記スケジューリング情報が、複数の装置のそれぞれによって応答メッセージを送るための決定論的なバックオフ時間を備える請求項２１に記載の方法。
【請求項２８】
前記スケジューリング情報が、前記複数の装置のそれぞれによって応答メッセージを送るためのスケジュールされた送信時間を備える請求項２１に記載の方法。
【請求項２９】
前記スケジューリング情報が、前記複数の装置が前記応答メッセージを送るべき順序を決定するシーケンス番号を備える請求項２１に記載の方法。
【請求項３０】
前記複数の装置が前記データの受信に肯定応答するブロック肯定応答（ＢＡ）を送るべきときを示すＢＡスケジューリング情報を前記データと共に受信することと、
前記ＢＡスケジューリング情報に従ってＢＡを送信することと
をさらに備える請求項２１に記載の方法。
【請求項３１】
前記スケジューリング情報が、ＢＡがシリアルな方法で前記複数の装置から送られることになっていることを示す請求項３０に記載の方法。
【請求項３２】
前記スケジューリング情報が、前記ＢＡが前記複数の装置から同時に送られることになっていることを示す請求項３０に記載の方法。
【請求項３３】
前記ＢＡが長いサイクリックプレフィックス（ＣＰ）と共に送信される請求項３２に記載の方法。
【請求項３４】
送信情報を前記データと共に受信することをさらに備え、前記ＢＡが、前記送信情報を使用して送信される請求項３０に記載の方法。
【請求項３５】
前記送信情報が、時間オフセット、電力オフセット、または周波数オフセットのうちの少なくとも１つを備える請求項３４に記載の方法。
【請求項３６】
複数の装置のそれぞれが要求メッセージに応答してメッセージを送信すべきときを示すスケジューリング情報を備える前記要求メッセージを前記複数の装置に送信するように構成された送信機と、
前記スケジューリング情報に従って送信された１つまたは複数の応答メッセージを前記複数の装置から受信するように構成された受信機と、
少なくとも前記応答メッセージに基づいて送信情報を計算するように構成された回路と
を備え、前記送信機が、前記計算された送信情報を使用してデータを前記複数の装置に同時に送信するようにさらに構成される
ワイヤレス通信のための装置。
【請求項３７】
前記要求メッセージが、トレーニング要求メッセージ（ＴＲＭ）または送信要求（ＲＴＳ）メッセージのうちの少なくとも１つを備える請求項３６に記載の装置。
【請求項３８】
前記要求メッセージが、ＴＲＭメッセージを備え、
前記応答メッセージが、１つまたは複数の送信可（ＣＴＳ）メッセージを受信した後受信される１つまたは複数のサウンディングフレームを備える
請求項３７に記載の装置。
【請求項３９】
前記サウンディングフレームが、チャネルサウンディングフレーム、チャネル品質インジケータ（ＣＱＩ）、または要求情報のうちの少なくとも１つを備える請求項３８に記載の装置。
【請求項４０】
前記要求メッセージが、前記要求メッセージを受信する前記複数の装置のサブセットのみに応答を求める請求項３６に記載の装置。
【請求項４１】
前記複数の装置のサブセットが、どの装置が古いチャネル状態情報を有するかに基づいて選択される請求項４０に記載の装置。
【請求項４２】
前記複数の装置のサブセットが、前記複数の装置の位置に基づいて選択される請求項４０に記載の装置。
【請求項４３】
前記要求メッセージが、少なくとも前記応答メッセージのためにワイヤレス媒体を確保するための継続時間フィールドを備える請求項３６に記載の装置。
【請求項４４】
前記要求メッセージが、肯定応答メッセージの送信までワイヤレス媒体を確保するための継続時間フィールドを備える請求項３６に記載の装置。
【請求項４５】
前記スケジューリング情報が、前記複数の装置によって応答メッセージを送るための決定論的なバックオフ時間を備える請求項３６に記載の装置。
【請求項４６】
前記スケジューリング情報が、前記複数の装置によって応答メッセージを送るためのスケジュールされた送信時間を備える請求項３６に記載の装置。
【請求項４７】
前記スケジューリング情報が、応答メッセージを送るべきときを決定するために、前記複数の装置のそれぞれによって使用するためのシーケンス番号を備える請求項３６に記載の装置。
【請求項４８】
前記送信機が、前記複数の装置が前記データの受信に肯定応答するブロック肯定応答（ＢＡ）を送るべきときを示すＢＡスケジューリング情報を前記データと共に送信するようにさらに構成され、
前記受信機が、前記ＢＡスケジューリング情報に従ってＢＡを受信するようにさらに構成される
請求項３６に記載の装置。
【請求項４９】
前記ＢＡがシリアルな方法で前記複数の装置から送られる請求項４８に記載の装置。
【請求項５０】
前記ＢＡが前記複数の装置から同時に送られる請求項４８に記載の装置。
【請求項５１】
前記ＢＡが長いサイクリックプレフィックス（ＣＰ）と共に送られる請求項５０に記載の装置。
【請求項５２】
前記送信機が前記データと共に前記送信情報を送るようにさらに構成され、前記ＢＡが前記送信情報を使用して送られる請求項４８に記載の装置。
【請求項５３】
前記送信情報が、時間オフセット、電力オフセット、または周波数オフセットのうちの少なくとも１つを備える請求項５２に記載の装置。
【請求項５４】
前記送信情報を使用して前記データを前記複数の装置に同時に送信するように構成された前記送信機が、前記データを異なるフレームで、前記複数の装置の異なるサブセットに送信するようにさらに構成される請求項３６に記載の装置。
【請求項５５】
前記送信機が、前記データを保護するために、送信可（ＣＴＳ）メッセージを送信するようにさらに構成される請求項３６に記載の装置。
【請求項５６】
複数の装置のそれぞれが要求メッセージに応答してメッセージを送信すべきときを示すスケジューリング情報を備える前記要求メッセージを装置から受信するように構成された受信機と、
前記スケジューリング情報に従って前記応答メッセージを前記装置に送信するように構成された送信機と
を備え、前記受信機が、データを前記装置から受信するようにさらに構成され、受信されたデータは前記装置から前記複数の装置に同時に送信されたデータの一部である
ワイヤレス通信のための装置。
【請求項５７】
前記要求メッセージが、トレーニング要求メッセージ（ＴＲＭ）を備え、
前記応答メッセージを送信するように構成された前記送信機が、送信可メッセージを送信した後、サウンディングフレームを送信するようにさらに構成される
請求項５６に記載の装置。
【請求項５８】
前記サウンディングフレームが、チャネルサウンディングフレーム、チャネル品質インジケータ（ＣＱＩ）、または要求情報のうちの少なくとも１つを備える請求項５７に記載の装置。
【請求項５９】
前記要求メッセージが、前記要求メッセージを受信する複数の装置のサブセットのみに応答を求める請求項５６に記載の装置。
【請求項６０】
前記複数の装置のサブセットが、どの装置が古いチャネル状態情報を有するかに基づいて選択される請求項５９に記載の装置。
【請求項６１】
前記要求メッセージが、少なくとも前記応答メッセージのためにワイヤレス媒体を確保するための継続時間フィールドを備える請求項５６に記載の装置。
【請求項６２】
前記スケジューリング情報が、複数の装置のそれぞれによって応答メッセージを送るための決定論的なバックオフ時間を備える請求項５６に記載の装置。
【請求項６３】
前記スケジューリング情報が、前記複数の装置のそれぞれによって応答メッセージを送るためのスケジュールされた送信時間を備える請求項５６に記載の装置。
【請求項６４】
前記スケジューリング情報が、前記複数の装置が前記応答メッセージを送るべき順序を決定するシーケンス番号を備える請求項５６に記載の装置。
【請求項６５】
前記受信機が、前記複数の装置が前記データの受信に肯定応答するブロック肯定応答（ＢＡ）を送るべきときを示すＢＡスケジューリング情報を前記データと共に受信するようにさらに構成され、
前記送信機が、前記ＢＡスケジューリング情報に従ってＢＡを送信するようにさらに構成される
請求項５６に記載の装置。
【請求項６６】
前記スケジューリング情報が、ＢＡがシリアルな方法で前記複数の装置から送られることになっていることを示す請求項６５に記載の装置。
【請求項６７】
前記スケジューリング情報が、前記ＢＡが前記複数の装置から同時に送られることになっていることを示す請求項６５に記載の装置。
【請求項６８】
前記ＢＡが長いサイクリックプレフィックス（ＣＰ）と共に送信される請求項６７に記載の装置。
【請求項６９】
前記受信機が、送信情報を前記データと共に受信するようにさらに構成され、前記ＢＡが、前記送信情報を使用して送信される請求項６５に記載の装置。
【請求項７０】
前記送信情報が、時間オフセット、電力オフセット、または周波数オフセットのうちの少なくとも１つを備える請求項６９に記載の装置。
【請求項７１】
複数の装置のそれぞれが要求メッセージに応答してメッセージを送信すべきときを示すスケジューリング情報を備える前記要求メッセージを前記複数の装置に送信するための手段と、
前記スケジューリング情報に従って送信された１つまたは複数の応答メッセージを前記複数の装置から受信するための手段と、
少なくとも前記応答メッセージに基づいて送信情報を計算するための手段と
を備え、送信するための前記手段が、前記計算された送信情報を使用してデータを前記複数の装置に同時に送信するようにさらに構成される
ワイヤレス通信のための装置。
【請求項７２】
前記要求メッセージが、トレーニング要求メッセージ（ＴＲＭ）または送信要求（ＲＴＳ）メッセージのうちの少なくとも１つを備える請求項７１に記載の装置。
【請求項７３】
前記要求メッセージが、ＴＲＭメッセージを備え、
前記応答メッセージが、１つまたは複数の送信可（ＣＴＳ）メッセージを受信した後受信される１つまたは複数のサウンディングフレームを備える
請求項７２に記載の装置。
【請求項７４】
前記サウンディングフレームが、チャネルサウンディングフレーム、チャネル品質インジケータ（ＣＱＩ）、または要求情報のうちの少なくとも１つを備える請求項７３に記載の装置。
【請求項７５】
前記要求メッセージが、前記要求メッセージを受信する前記複数の装置のサブセットのみに応答を求める請求項７１に記載の装置。
【請求項７６】
前記複数の装置のサブセットが、どの装置が古いチャネル状態情報を有するかに基づいて選択される請求項７５に記載の装置。
【請求項７７】
前記複数の装置のサブセットが、前記複数の装置の位置に基づいて選択される請求項７５に記載の装置。
【請求項７８】
前記要求メッセージが、少なくとも前記応答メッセージのためにワイヤレス媒体を確保するための継続時間フィールドを備える請求項７１に記載の装置。
【請求項７９】
前記要求メッセージが、肯定応答メッセージの送信までワイヤレス媒体を確保するための継続時間フィールドを備える請求項７１に記載の装置。
【請求項８０】
前記スケジューリング情報が、前記複数の装置によって応答メッセージを送るための決定論的なバックオフ時間を備える請求項７１に記載の装置。
【請求項８１】
前記スケジューリング情報が、前記複数の装置によって応答メッセージを送るためのスケジュールされた送信時間を備える請求項７１に記載の装置。
【請求項８２】
前記スケジューリング情報が、応答メッセージを送るべきときを決定するために、前記複数の装置のそれぞれによって使用するためのシーケンス番号を備える請求項７１に記載の装置。
【請求項８３】
送信するための前記手段が、前記複数の装置が前記データの受信に肯定応答するブロック肯定応答（ＢＡ）を送るべきときを示すＢＡスケジューリング情報を前記データと共に送信するようにさらに構成され、
受信するための前記手段が、前記ＢＡスケジューリング情報に従ってＢＡを受信するようにさらに構成される
請求項７１に記載の装置。
【請求項８４】
前記ＢＡがシリアルな方法で前記複数の装置から送られる請求項８３に記載の装置。
【請求項８５】
前記ＢＡが前記複数の装置から同時に送られる請求項８３に記載の装置。
【請求項８６】
前記ＢＡが長いサイクリックプレフィックス（ＣＰ）と共に送られる請求項８５に記載の装置。
【請求項８７】
送信するための前記手段が、前記データと共に前記送信情報を送るようにさらに構成され、前記ＢＡが、前記送信情報を使用して送られる請求項８３に記載の装置。
【請求項８８】
前記送信情報が、時間オフセット、電力オフセット、または周波数オフセットのうちの少なくとも１つを備える請求項８７に記載の装置。
【請求項８９】
前記送信情報を使用して前記データを前記複数の装置に同時に送信するための前記手段が、
前記データを異なるフレームで、前記複数の装置の異なるサブセットに送信するための手段
を備える請求項７１に記載の装置。
【請求項９０】
送信するための前記手段が、前記データを保護するために、送信可（ＣＴＳ）メッセージを送信するようにさらに構成される請求項７１に記載の装置。
【請求項９１】
複数の装置のそれぞれが要求メッセージに応答してメッセージを送信すべきときを示すスケジューリング情報を備える前記要求メッセージを装置から受信し、データを前記装置から受信するための手段と、受信されたデータは前記装置から前記複数の装置に同時に送信されたデータの一部であり、
前記スケジューリング情報に従って前記応答メッセージを前記装置に送信するための手段と
を備えるワイヤレス通信のための装置。
【請求項９２】
前記要求メッセージが、トレーニング要求メッセージ（ＴＲＭ）を備え、
前記応答メッセージを送信するための前記手段が、送信可メッセージを送信した後、サウンディングフレームを送信するための手段を備える
請求項９１に記載の装置。
【請求項９３】
前記サウンディングフレームが、チャネルサウンディングフレーム、チャネル品質インジケータ（ＣＱＩ）、または要求情報のうちの少なくとも１つを備える請求項９２に記載の装置。
【請求項９４】
前記要求メッセージが、前記要求メッセージを受信する複数の装置のサブセットのみに応答を求める請求項９１に記載の装置。
【請求項９５】
前記複数の装置のサブセットが、どの装置が古いチャネル状態情報を有するかに基づいて選択される請求項９４に記載の装置。
【請求項９６】
前記要求メッセージが、少なくとも前記応答メッセージのためにワイヤレス媒体を確保するための継続時間フィールドを備える請求項９１に記載の装置。
【請求項９７】
前記スケジューリング情報が、複数の装置のそれぞれによって応答メッセージを送るための決定論的なバックオフ時間を備える請求項９１に記載の装置。
【請求項９８】
前記スケジューリング情報が、前記複数の装置のそれぞれによって応答メッセージを送るためのスケジュールされた送信時間を備える請求項９１に記載の装置。
【請求項９９】
前記スケジューリング情報が、前記複数の装置が前記応答メッセージを送るべき順序を決定するシーケンス番号を備える請求項９１に記載の装置。
【請求項１００】
受信するための前記手段が、前記複数の装置が前記データの受信に肯定応答するブロック肯定応答（ＢＡ）を送るべきときを示すＢＡスケジューリング情報を前記データと共に受信するようにさらに構成され、
送信するための前記手段が、前記ＢＡスケジューリング情報に従ってＢＡを送信するようにさらに構成される
請求項９１に記載の装置。
【請求項１０１】
前記スケジューリング情報が、ＢＡがシリアルな方法で前記複数の装置から送られることになっていることを示す請求項１００に記載の装置。
【請求項１０２】
前記スケジューリング情報が、前記ＢＡが前記複数の装置から同時に送られることになっていることを示す請求項１００に記載の装置。
【請求項１０３】
前記ＢＡが長いサイクリックプレフィックス（ＣＰ）と共に送信される請求項１０２に記載の装置。
【請求項１０４】
受信するための前記手段が、送信情報を前記データと共に受信するようにさらに構成され、前記ＢＡが、前記送信情報を使用して送信される請求項１００に記載の装置。
【請求項１０５】
前記送信情報が、時間オフセット、電力オフセット、または周波数オフセットのうちの少なくとも１つを備える請求項１０４に記載の装置。
【請求項１０６】
複数のアンテナと、
複数の装置のそれぞれが要求メッセージに応答してメッセージを送信すべきときを示すスケジューリング情報を備える前記要求メッセージを、前記複数のアンテナを介して前記複数の装置に送信するように構成された送信機と、
前記スケジューリング情報に従って送信された１つまたは複数の応答メッセージを前記複数の装置から受信するように構成された受信機と、
少なくとも前記応答メッセージに基づいて送信情報を計算するように構成された回路と
を備え、前記送信機が、前記計算された送信情報を使用してデータを前記複数の装置に同時に送信するようにさらに構成される
ワイヤレス通信のためのアクセスポイント。
【請求項１０７】
少なくとも１つのアンテナと、
複数の装置のそれぞれが要求メッセージに応答してメッセージを送信すべきときを示すスケジューリング情報を備える前記要求メッセージを、前記少なくとも１つのアンテナを介して装置から受信し、データを前記装置から受信するように構成された受信機と、受信されたデータは前記装置から前記複数の装置に同時に送信されたデータの一部であり、
前記スケジューリング情報に従って前記応答メッセージを前記装置に送信するように構成された送信機と
を備えるワイヤレス通信のためのステーション。
【請求項１０８】
複数の装置のそれぞれが要求メッセージに応答してメッセージを送信すべきときを示すスケジューリング情報を備える前記要求メッセージを前記複数の装置に送信するように実行可能な命令と、
前記スケジューリング情報に従って送信された１つまたは複数の応答メッセージを前記複数の装置から受信するように実行可能な命令と、
少なくとも前記応答メッセージに基づいて送信情報を計算するように実行可能な命令と、
前記計算された送信情報を使用してデータを前記複数の装置に同時に送信するように実行可能な命令と
を備えるコンピュータ可読媒体を備えるワイヤレス通信のためのコンピュータプログラム製品。
【請求項１０９】
複数の装置のそれぞれが要求メッセージに応答してメッセージを送信すべきときを示すスケジューリング情報を備える前記要求メッセージを装置から受信するように実行可能な命令と、
前記スケジューリング情報に従って前記応答メッセージを前記装置に送信するように実行可能な命令と、
データを前記装置から受信するように実行可能な命令と、受信されたデータは前記装置から前記複数の装置に同時に送信されたデータの一部である
を備えるコンピュータ可読媒体を備えるワイヤレス通信のためのコンピュータプログラム製品。
【発明の詳細な説明】
【技術分野】
【０００１】
米国特許法第１１９条に基づく優先権の主張  
本特許出願は、２００９年６月１７日に出願し、本発明の譲受人に譲渡され、参照により本明細書に明示的に組み込まれている「Multi-User Multiple Input Multiple Output Wireless Communications」という名称の米国特許仮出願第６１／１８８,０００号の利益を主張する。
【０００２】
本開示のいくつかの態様は、一般に、ワイヤレス通信に関し、より詳細には、複数のワイヤレスステーションにデータを送信することに関する。
【背景技術】
【０００３】
ワイヤレス通信システムのために要求される増加する帯域幅の要件の問題に対処するために、高データスループットを達成すると共に、複数のユーザ端末がチャネルリソースを共有することによって単一のアクセスポイントと通信できるようにするために、様々な方式が開発されている。多入力または多出力（ＭＩＭＯ）技術は、次世代通信システムの評判の技術として最近台頭してきたそのような手法の１つを表す。ＭＩＭＯ技術は、例えば米国電気電子技術者協会（ＩＥＥＥ）８０２．１１標準など、台頭しつつあるいくつかのワイヤレス通信標準において採用されている。ＩＥＥＥ８０２．１１は、近距離通信（例えば、何十メートルから数百メートル）のＩＥＥＥ８０２．１１委員会によって開発された１組のワイヤレスローカルエリアネットワーク（ＷＬＡＮ）エアインターフェース標準を示す。
【０００４】
ＭＩＭＯワイヤレスシステムは、ある数（ＮT）の送信アンテナと、ある数（ＮR）の受信アンテナとをデータ送信に使用する。ＮT本の送信アンテナと、ＮR本の受信アンテナとによって形成されるＭＩＭＯチャネルは、ＮS個の空間ストリームに分解することができ、ここでは、すべての実用的な目的のためには、ＮS≦ｍｉｎ｛ＮT，ＮR｝である。ＮS個の空間ストリームを使用してＮS個の独立したデータストリームを送信して、より大きい全体的なスループットを達成することができる。
【０００５】
単一のアクセスポイントと、複数のステーションとを有するワイヤレスネットワークでは、アップリンク方向とダウンリンク方向の両方で、異なるステーションの方への複数のチャネルにおいて同時送信が起こる場合がある。こうしたシステムには多くの問題が引き起こされる。
【発明の概要】
【０００６】
いくつかの態様は、ワイヤレス通信のための方法を提供する。この方法は、一般に、複数の装置のそれぞれが要求メッセージに応答してメッセージを送信すべきときを示すスケジューリング情報を備える要求メッセージを複数の装置に送信することと、スケジューリング情報に従って送信された１つまたは複数の応答メッセージを複数の装置から受信することと、少なくとも応答メッセージに基づいて送信情報を計算することと、計算された送信情報を使用してデータを複数の装置に同時に送信することとを含む。
【０００７】
いくつかの態様は、ワイヤレス通信のための方法を提供する。この方法は、一般に、複数の装置のそれぞれが要求メッセージに応答してメッセージを送信すべきときを示すスケジューリング情報を備える要求メッセージを装置から受信することと、スケジューリング情報に従って応答メッセージを装置に送信することと、データを装置から受信することと、受信されたデータは装置から複数の装置に同時に送信されたデータの一部である、を含む。
【０００８】
いくつかの態様は、ワイヤレス通信のための装置を提供する。装置は、一般に、複数の装置のそれぞれが要求メッセージに応答してメッセージを送信すべきときを示すスケジューリング情報を備える要求メッセージを複数の装置に送信するように構成された送信機と、スケジューリング情報に従って送信された１つまたは複数の応答メッセージを複数の装置から受信するように構成された受信機と、少なくとも応答メッセージに基づいて送信情報を計算するように構成されたロジックと、計算された送信情報を使用してデータを複数の装置に同時に送信するようにさらに構成された送信機とを含む。
【０００９】
いくつかの態様は、ワイヤレス通信のための装置を提供する。この装置は、一般に、複数の装置のそれぞれが要求メッセージに応答してメッセージを送信すべきときを示すスケジューリング情報を備える要求メッセージを装置から受信するように構成された受信機と、スケジューリング情報に従って応答メッセージを装置に送信するように構成された送信機と、データを装置から受信するようにさらに構成された受信機と、受信されたデータは装置から複数の装置に同時に送信されたデータの一部である、を含む。
【００１０】
いくつかの態様は、ワイヤレス通信のための装置を提供する。この装置は、一般に、複数の装置のそれぞれが要求メッセージに応答してメッセージを送信すべきときを示すスケジューリング情報を備える要求メッセージを複数の装置に送信するための手段と、スケジューリング情報に従って送信された１つまたは複数の応答メッセージを複数の装置から受信するための手段と、少なくとも応答メッセージに基づいて送信情報を計算するための手段と、計算された送信情報を使用してデータを複数の装置に同時に送信するための手段とを含む。
【００１１】
いくつかの態様は、ワイヤレス通信のための装置を提供する。この装置は、一般に、複数の装置のそれぞれが要求メッセージに応答してメッセージを送信すべきときを示すスケジューリング情報を備える要求メッセージを装置から受信し、データを装置から受信するための手段と、受信されたデータは装置から複数の装置に同時に送信されたデータの一部であり、スケジューリング情報に従って応答メッセージを装置に送信するための手段とを含む。
【００１２】
いくつかの態様は、ワイヤレス通信のためのアクセスポイントを提供する。このアクセスポイントは、一般に、複数のアンテナと、複数の装置のそれぞれが要求メッセージに応答してメッセージを送信すべきときを示すスケジューリング情報を備える要求メッセージを、複数のアンテナを介して複数の装置に送信するように構成された送信機と、スケジューリング情報に従って送信された１つまたは複数の応答メッセージを複数の装置から受信するように構成された受信機と、少なくとも応答メッセージに基づいて送信情報を計算するように構成されたロジックと、計算された送信情報を使用してデータを複数の装置に同時に送信するようにさらに構成された送信機とを含む。
【００１３】
いくつかの態様は、ワイヤレス通信のためのステーションを提供する。このステーションは、一般に、少なくとも１つのアンテナと、複数の装置のそれぞれが要求メッセージに応答してメッセージを送信すべきときを示すスケジューリング情報を備える要求メッセージを、少なくとも１つのアンテナを介して装置から受信し、データを装置から受信するように構成された受信機と、受信されたデータは装置から複数の装置に同時に送信されたデータの一部であり、スケジューリング情報に従って応答メッセージを装置に送信するように構成された送信機とを含む。
【００１４】
本開示のいくつかの態様は、命令を備えるコンピュータ可読媒体を備えるワイヤレス通信のためのコンピュータプログラム製品を提供する。命令は、複数の装置のそれぞれが要求メッセージに応答してメッセージを送信すべきときを示すスケジューリング情報を備える要求メッセージを複数の装置に送信し、スケジューリング情報に従って送信された１つまたは複数の応答メッセージを複数の装置から受信し、少なくとも応答メッセージに基づいて送信情報を計算し、計算された送信情報を使用してデータを複数の装置に同時に送信するように実行可能である。
【００１５】
本開示のいくつかの態様は、命令を備えるコンピュータ可読媒体を備えるワイヤレス通信のためのコンピュータプログラム製品を提供する。命令は、複数の装置のそれぞれが要求メッセージに応答してメッセージを送信すべきときを示すスケジューリング情報を備える要求メッセージを装置から受信し、スケジューリング情報に従って応答メッセージを装置に送信し、データを装置から受信するように実行可能であり、受信されたデータは装置から複数の装置に同時に送信されたデータの一部である。
【００１６】
本開示の上記の特徴を詳細に理解できるように、いくつかが添付の図面に図示される態様を参照して、上記で簡単に要約した、より特定の説明を行い得る。しかし、添付の図面には、本開示の典型的な態様がほんのいくつかしか示されておらず、したがって、その範囲の制限とみなされないものとし、説明は、他の等しく有効な態様を認め得ることに留意されたい。
【図面の簡単な説明】
【００１７】
【図１】本開示のいくつかの態様によるワイヤレス通信ネットワークを示す図。
【図２】本開示のいくつかの態様による、図１のワイヤレス通信ネットワークにおけるワイヤレスノードの物理レイヤの信号処理機能の一例を示すブロック図。
【図３】本開示のいくつかの態様による、図１のワイヤレス通信ネットワークにおけるワイヤレスノードの処理システムのためのハードウェア構成例を示すブロック図。
【図４】本開示のいくつかの態様による、ブロック肯定応答（block acknowledgement：ＢＡ）が時間的にずれた方法で送信されるマルチユーザ多入力多出力（ＭＵ―ＭＩＭＯ）通信のためのメッセージフレームの交換例。
【図５】本開示のいくつかの態様による、従来のＢＡ形式に対してサイズを低減したＢＡ形式例。
【図６】本開示のいくつかの態様による、ＢＡが並行に送信されるＭＵ―ＭＩＭＯ通信のためのメッセージフレームの交換例。
【図７】本開示のいくつかの態様による、ＭＵ―ＭＩＭＯワイヤレス通信のためのアクセスポイントによって実行することができる動作例。
【図７Ａ】図７に示される動作を実行することができる構成要素例。
【図８】本開示のいくつかの態様による、ＭＵ―ＭＩＭＯワイヤレス通信のためのステーションによって実行され得る動作例。
【図８Ａ】図８に示される動作を実行することができる構成要素例。
【図９】本開示のいくつかの態様による、ＴＲＭが送信可（clear to send：ＣＴＳ）メッセージをスケジュールするＭＵ―ＭＩＭＯ通信のためのメッセージの交換例。
【図１０】本開示のいくつかの態様による、送信要求（ＲＴＳ）メッセージがステーションに送信されるＭＵ―ＭＩＭＯ通信のためのメッセージの交換例。
【発明を実施するための形態】
【００１８】
以下、本開示のいくつかの態様の様々な態様について説明する。本明細書における教示を様々な形で具体化することができ、本明細書に開示されている任意の特定の構造、機能、またはその両方は単に代表であるにすぎないことは明らかなはずである。本明細書における教示に基づいて、本明細書に開示されている態様を他の任意の態様から独立して実施することができ、これらの態様の２つ以上が様々な方法で結合されてもよいことを当業者であれば理解するはずである。例えば、本明細書に記載されている任意の数の態様を使用して、装置を実施し、または方法を実行することができる。さらに、本明細書に記載されている態様のうちの１つまたは複数に加えて、またはそれ以外に、他の構造、機能、または構造と機能を使用して、こうした装置を実施し、またはこうした方法を実行することができる。さらに、一態様は、請求項の少なくとも１つの要素を備え得る。
【００１９】
本明細書では、「例」という単語は、「一例、事例、または例示の役割を果たす」ことを意味するために使用される。「例」として本明細書に記載されている任意の態様が必ずしも他の態様より好適または有利なものとして解釈されるわけではない。また、本明細書において使用される場合、「従来のステーション(legacy station)」という用語は一般に、ＩＥＥＥ８０２．１１標準の８０２．１１ｎ以前のバージョンをサポートするワイヤレスネットワークノードを指す。
【００２０】
本明細書に記載されているマルチアンテナ送信技術は、例えば符号分割多元接続（ＣＤＭＡ）、直交周波数分割多重（ＯＦＤＭ）、時分割多元接続（ＴＤＭＡ）、空間分割多元接続（ＳＤＭＡ）など、様々なワイヤレス技術と組み合わせて使用することができる。複数のユーザ端末は、異なる（１）ＣＤＭＡの直交符号チャネル、（２）ＴＤＭＡのタイムスロット、または（３）ＯＦＤＭのサブバンドを介してデータを同時に送受信することができる。ＣＤＭＡシステムは、ＩＳ―２０００、ＩＳ―９５、ＩＳ―８５６、Ｗｉｄｅｂａｎｄ―ＣＤＭＡ（Ｗ―ＣＤＭＡ）、または他の何らかの標準を実施することができる。ＯＦＤＭシステムは、ＩＥＥＥ８０２．１１または他の何らかの標準を実施することができる。ＴＤＭＡシステムは、ＧＳＭ（登録商標）または他の何らかの標準を実施することができる。これらの様々な標準は、当分野では知られている。
【００２１】
ＭＩＭＯシステム例
図１は、アクセスポイントと、ユーザ端末とを備える多元接続ＭＩＭＯシステム１００を示す。説明を簡単にするために、１つのアクセスポイント１１０のみが図１に示されている。アクセスポイント（ＡＰ）は、一般に、ユーザ端末と通信する固定ステーションであり、基地局または他の何らかの用語で呼ばれ得る。ユーザ端末は、固定またはモバイルとすることができ、移動局、ステーション（ＳＴＡ）、クライアント、ワイヤレスデバイス、または他の何らかの用語で呼ばれ得る。ユーザ端末は、例えば携帯電話、個人用デジタル補助装置（ＰＤＡ）、ハンドヘルドデバイス、ワイヤレスモデム、ラップトップコンピュータ、パーソナルコンピュータなどのワイヤレスデバイスとすることができる。
【００２２】
アクセスポイント１１０は、ダウンリンクおよびアップリンクにおいて、任意の所与のときに、１つまたは複数のユーザ端末１２０と通信することができる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末は、別のユーザ端末とピアツーピア通信することもできる。システムコントローラ１３０は、アクセスポイントに結合し、アクセスポイントの協調および制御を提供する。
【００２３】
システム１００は、ダウンリンクおよびアップリンクにおいて、複数の送信アンテナと、複数の受信アンテナとをデータ送信に使用する。アクセスポイント１１０は、ある数Ｎapのアンテナを備え、ダウンリンク送信のための多入力（ＭＩ）と、アップリンク送信のための多出力（ＭＯ）とを表す。Ｎu個の一組の選択されたユーザ端末１２０は、ダウンリンク送信のための多出力と、アップリンク送信のための多入力とを集合的に表す。いくつかのケースにおいて、Ｎu個のユーザ端末のためのデータシンボルストリームが、コード、周波数、または時間において、何らかの手段によって多重化されていない場合、Ｎap≧Ｎu≧１を有することが望ましい場合がある。データシンボルストリームがＣＤＭＡによって異なるコードチャネルを使用する、ＯＦＤＭによって互いに素な(disjoint)サブバンドの組を使用するなどで多重化できる場合、Ｎuは、Ｎapより大きくてもよい。選択された各ユーザ端末は、ユーザ固有のデータをアクセスポイントに送信し、および／またはアクセスポイントからユーザ固有のデータを受信する。一般に、選択された各ユーザ端末は、１つまたは複数のアンテナ（すなわち、Ｎut≧１）を備えていてもよい。Ｎu個の選択されたユーザ端末は、同じまたは異なる数のアンテナを有することができる。
【００２４】
ＭＩＭＯシステム１００は、時分割複信（ＴＤＤ）システムまたは周波数分割複信（ＦＤＤ）システムとすることができる。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００は、単一のキャリアまたは複数のキャリアを送信のために使用することもできる。各ユーザ端末は、（例えば、価格を低く抑えるためには）単一のアンテナを、または（例えば、追加コストをサポートすることができる場合には）複数のアンテナを備えていてもよい。
【００２５】
図２は、ＭＩＭＯシステム１００におけるアクセスポイント１１０と、２つのユーザ端末１２０ｍおよび１２０ｘとのブロック図を示す。アクセスポイント１１０は、Ｎap個のアンテナ２２４ａから２２４ａｐまでを備える。ユーザ端末１２０ｍは、Ｎut,m個のアンテナ２５２ｍａから２５２ｍｕまでを備え、ユーザ端末１２０ｘは、Ｎut,x個のアンテナ２５２ｘａから２５２ｘｕまでを備える。アクセスポイント１１０は、ダウンリンクのための送信エンティティ、およびアップリンクのための受信エンティティである。各ユーザ端末１２０は、アップリンクのための送信エンティティ、およびダウンリンクのための受信エンティティである。本明細書で使用する場合、「送信エンティティ」は、周波数チャネルを介してデータを送信することができる独立して作動される装置またはデバイスであり、「受信エンティティ」は、周波数チャネルを介してデータを受信することができる独立して作動される装置またはデバイスである。以下の説明では、下付き文字「ｄｎ」はダウンリンクを意味し、下付き文字「ｕｐ」はアップリンクを意味し、アップリンクにおける同時送信のためにＮup個のユーザ端末が選択され、ダウンリンクにおける同時送信のためにＮdn個のユーザ端末が選択され、Ｎupは、Ｎdnに等しくても等しくなくてもよく、ＮupおよびＮdnは、静的な値でもよく、またはスケジューリング間隔ごとに変えることができる。ビームステアリング、または他の何らかの空間処理技術をアクセスポイントおよびユーザ端末で使用することができる。
【００２６】
アップリンクにおいて、アップリンク送信のために選択された各ユーザ端末１２０で、ＴＸデータプロセッサ２８８は、データソース２８６からトラフィックデータを、コントローラ２８０から制御データを受信する。ＴＸデータプロセッサ２８８は、ユーザ端末のために選択されたレートに関連付けられたコーディングおよび変調方式に基づいてユーザ端末のトラフィックデータ｛ｄup,m｝を処理（例えば、符号化、インタリーブ、および変調）し、データシンボルストリーム｛ｓup,m｝を提供する。ＴＸ空間プロセッサ２９０は、データシンボルストリーム｛ｓup,m｝に空間処理を実行し、Ｎut,m個のアンテナのためのＮut,m個の送信シンボルストリームを提供する。各送信機ユニット（ＴＭＴＲ）２５４は、それぞれの送信シンボルストリームを受信し、処理（例えばアナログに変換、増幅、フィルタ処理、および周波数アップコンバート）してアップリンク信号を生成する。Ｎut,m個の送信機ユニット２５４は、Ｎut,m個のアンテナ２５２からアクセスポイント１１０までの送信のためのＮut,m個のアップリンク信号を提供する。
【００２７】
ある数Ｎupのユーザ端末を、アップリンクにおける同時送信ためにスケジュールすることができる。これらのユーザ端末のそれぞれは、そのデータシンボルストリームに空間処理を実行し、アップリンクにおいてその送信シンボルストリームの組をアクセスポイントに送信する。
【００２８】
アクセスポイント１１０で、Ｎap個のアンテナ２２４ａから２２４ａｐまでは、アップリンクにおいて送信しているすべてのＮup個のユーザ端末からアップリンク信号を受信する。各アンテナ２２４は、受信された信号をそれぞれの受信機ユニット（ＲＣＶＲ）２２２に提供する。各受信機ユニット２２２は、送信機ユニット２５４によって実行された処理と相補的な処理を実行し、受信されたシンボルストリームを提供する。ＲＸ空間プロセッサ２４０は、Ｎap個の受信機ユニット２２２から受信されたＮap個のシンボルストリームにおいて受信機空間処理を実行し、Ｎup個の回復したアップリンクデータシンボルストリームを提供する。受信機空間処理は、チャネル相関マトリックス反転（ＣＣＭＩ）、最小平均二乗誤差法（ＭＭＳＥ）、逐次干渉除去（ＳＩＣ）、または他の何らかの技術に従って実行される。回復された各アップリンクデータシンボルストリーム｛ｓup,m｝は、それぞれのユーザ端末によって送信されたデータシンボルストリーム｛ｓup,m｝の推定値である。ＲＸデータプロセッサ２４２は、復号されたデータを取得するために、そのストリームに使用されたレートに従って、回復された各アップリンクデータシンボルストリーム｛ｓup,m｝を処理（例えば、復調、デインターリーブ、およびデコード）する。各ユーザ端末の復号されたデータは、格納のためにデータシンク２４４に、および／またはさらに処理するためにコントローラ２３０に提供することができる。
【００２９】
ダウンリンクにおいて、アクセスポイント１１０で、ＴＸデータプロセッサ２１０は、ダウンリンク送信にスケジュールされたＮdn個のユーザ端末のためのトラフィックデータをデータソース２０８から、制御データをコントローラ２３０から、および場合によって他のデータをスケジューラ２３４から受信する。様々なタイプのデータを異なるトランスポートチャネル上で送ることができる。ＴＸデータプロセッサ２１０は、そのユーザ端末のために選択されたレートに基づいて、ユーザ端末ごとにトラフィックデータを処理（例えば、符号化、インタリーブ、および変調）する。ＴＸデータプロセッサ２１０は、Ｎdn個のユーザ端末のためのＮdn個のダウンリンクデータシンボルストリームを提供する。ＴＸ空間プロセッサ２２０は、Ｎdn個のダウンリンクデータシンボルストリームに空間処理を実行し、Ｎap個のアンテナのためのＮap個の送信シンボルストリームを提供する。各送信機ユニット（ＴＭＴＲ）２２２は、ダウンリンク信号を生成するために、それぞれの送信シンボルストリームを受信し、処理する。Ｎap個の送信機ユニット２２２は、Ｎap個のアンテナ２２４からユーザ端末までの送信のためのＮap個のダウンリンク信号を提供する。
【００３０】
各ユーザ端末１２０で、Ｎut,m個のアンテナ２５２は、アクセスポイント１１０からＮap個のダウンリンク信号を受信する。各受信機ユニット（ＲＣＶＲ）２５４は、関連するアンテナ２５２から受信された信号を処理し、受信されたシンボルストリームを提供する。ＲＸ空間プロセッサ２６０は、Ｎut,m個の受信機ユニット２５４から受信されたＮut,m個のシンボルストリームに受信機空間処理を実行し、ユーザ端末のための回復されたダウンリンクデータシンボルストリーム｛ｓdn,m｝を提供する。受信機空間処理は、ＣＣＭＩ、ＭＭＳＥ、または他の何らかの技術に従って実行される。ＲＸデータプロセッサ２７０は、ユーザ端末のための復号されたデータを取得するために、回復されたダウンリンクデータシンボルストリームを処理（例えば、復調、デインターリーブ、およびデコード）する。
【００３１】
各ユーザ端末１２０で、Ｎut,m個のアンテナ２５２は、アクセスポイント１１０からＮap個のダウンリンク信号を受信する。各受信機ユニット（ＲＣＶＲ）２５４は、関連するアンテナ２５２から受信された信号を処理し、受信されたシンボルストリームを提供する。ＲＸ空間プロセッサ２６０は、Ｎut,m個の受信機ユニット２５４から受信されたＮut,m個のシンボルストリームに受信機空間処理を実行し、ユーザ端末のための回復されたダウンリンクデータシンボルストリーム｛ｓdn,m｝を提供する。受信機空間処理は、ＣＣＭＩ、ＭＭＳＥ、または他の何らかの技術に従って実行される。ＲＸデータプロセッサ２７０は、ユーザ端末のための復号されたデータを取得するために、回復されたダウンリンクデータシンボルストリームを処理（例えば、復調、デインターリーブ、およびデコード）する。
【００３２】
図３は、システム１００内で使用され得るワイヤレスデバイス３０２において使用され得る様々な構成要素を示す。ワイヤレスデバイス３０２は、本明細書に記載されている様々な方法を実施するように構成され得るデバイスの一例である。ワイヤレスデバイス３０２は、アクセスポイント１１０またはユーザ端末１２０でもよい。
【００３３】
ワイヤレスデバイス３０２は、ワイヤレスデバイス３０２の動作を制御するプロセッサ３０４を含むことができる。プロセッサ３０４は、中央演算処理装置（ＣＰＵ）とも呼ばれ得る。読み取り専用メモリ（ＲＯＭ）とランダムアクセスメモリ（ＲＡＭ）の両方を含むことができるメモリ３０６は、命令およびデータをプロセッサ３０４に提供する。メモリ３０６の一部は、不揮発性ランダムアクセスメモリ（ＮＶＲＡＭ）を含むこともできる。プロセッサ３０４は、通常、メモリ３０６内に格納されるプログラム命令に基づいて、論理および算術の演算を実行する。メモリ３０６内の命令は、本明細書に記載されている方法を実施するように実行可能とすることができる。
【００３４】
ワイヤレスデバイス３０２は、ワイヤレスデバイス３０２とリモート位置(remote location)との間のデータの送受信を可能にするための送信機３１０と受信機３１２とを含むことができるハウジング３０８を含むこともできる。送信機３１０および受信機３１２は、トランシーバ３１４に一体化することができる。複数の送信アンテナ３１６は、ハウジング３０８に接続し、トランシーバ３１４に電気的に結合することができる。ワイヤレスデバイス３０２は、（図示しないが）複数の送信機と、複数の受信機と、複数のトランシーバとを含み得る。
【００３５】
ワイヤレスデバイス３０２は、トランシーバ３１４によって受信される信号のレベルを検出し、定量化する目的で使用することができる信号検出器３１８を含むこともできる。信号検出器３１８は、全エネルギー、シンボル当たりのサブキャリア当たりのエネルギー、パワースペクトル密度、および他の信号などの信号を検出することができる。ワイヤレスデバイス３０２は、信号処理に使用されるデジタル信号プロセッサ（ＤＳＰ）３２０を含むこともできる。
【００３６】
ワイヤレスデバイス３０２の様々な構成要素は、データバスに加えて、電源バスと、制御信号バスと、ステータス信号バスとを含み得るバスシステム３２２によって結合することができる。
【００３７】
本明細書に記載されている技術は、一般に、例えばＳＤＭＡ、ＯＦＤＭＡ、ＣＤＭＡ、ＳＤＭＡ、およびそれらの組み合わせなど、任意のタイプの多元接続方式を利用しているシステムに適用され得ることを当業者であれば認識されよう。
【００３８】
ダウンリンクマルチユーザＭＩＭＯ
マルチユーザ多入力多出力（ＭＵ―ＭＩＭＯ）を使用して複数のステーション（ＳＴＡ）にデータを送信するために、アクセスポイント（ＡＰ）は、ＳＴＡからチャネル情報を取得することを必要とする場合がある。さらに、ＡＰは、データの受信を確認するために、各ＳＴＡからブロック肯定応答（ＢＡ）を受信することを必要とする場合もある。しかし、いくつかのＳＴＡは、ＭＵ―ＭＩＭＯを使用してアップリンクチャネルサウンディングフレームとＢＡとをＡＰに同時に（他のＳＴＡと並行して）送るのに必要な、（例えば、時間および周波数の同期に関する）必要な複雑さを備えていない場合がある。
【００３９】
本開示のいくつかの態様は、ＳＴＡがダウンリンクＭＵ―ＭＩＭＯトランザクションに参加するための厳しい周波数および時間の同期要件を低減し、および／または除去することができるプロトコルを提供する。いくつかの態様によれば、ＡＰによる決定論的(deterministic)なスケジューリングによって、ＳＴＡは、従来のマルチユーザ通信技術に対してシステムの複雑さを低減するために、アップリンクトランザクションにおいてＭＵ―ＭＩＭＯで通信するために必要な周波数／タイミング同期を必要とすることなく、ＭＵ―ＭＩＭＯトランザクションに参加することができる。
【００４０】
いくつかの態様によれば、従来のＢＡに対していくつかのフィールドが除去された変更されたＢＡを使用することができる。例えば、ソースアドレスがＢＡから除去される場合であっても、いくつかの決定論的なＢＡスケジューリングアルゴリズムによって、ＡＰは、どのＳＴＡがＢＡを送っているかを認識することができ、これは、ＢＡのサイズを低減し、システム帯域幅を節約するのを助けることができる。
【００４１】
図４は、本開示のいくつかの態様による、時間的にずれた方法で送信されるブロック肯定応答（ＢＡ）を備えたマルチユーザ多入力多出力（ＭＵ―ＭＩＭＯ）通信のためのプロトコルメッセージ交換例を示す。プロトコルは、ＡＰ４０２が複数のＳＴＡ４０６にアップリンクサウンディングフレームを送ることを要求することで開始する。例えば、サウンディングフレームは、チャネルサウンディングフレーム、チャネル品質インジケータ（ＣＱＩ）、または要求情報を含むことができる。ＡＰは、示されたトランザクションを開始する前に拡張型分散チャネルアクセス（enhanced distributed channel access：ＥＤＣＡ）ベースのバックオフ手順（ＩＥＥＥ８０２．１１標準に記載）を実行することによって、媒体(medium)を取得することができる。提案されたプロトコルがＳＴＡで時間−周波数同期を必要としないことに留意されたい。
【００４２】
図示されるように、ＡＰ４０２は、ＳＴＡ４０６を識別するトレーニング要求メッセージ（ＴＲＭ、４０４）を送り、ＳＴＡのそれぞれによってサウンディングフレーム４０８を送るためにスケジュールされた送信時間を含むスケジューリング情報を提供することができる。ＴＲＭは、各ＳＴＡに割り当てられた空間ストリームの数を含むこともできる。ＡＰは、任意のトランザクションですべてのＳＴＡまたはＳＴＡのサブセットのみにサウンディングフレームを要求することができる。例えば、複数のＳＴＡを有するシステムで、ＡＰは、ＳＴＡのサブセットがサウンディングフレームを送るべきときを示すスケジューリング情報を送ることができる。ＡＰは、例えば、チャネル状態情報（ＣＳＩ）が最後に集められたときに基づいて、どのＳＴＡがそのサブセットにあるかを決定することができる。最も前(least current)のＣＳＩ（すなわち、古いＣＳＩ）を有するＳＴＡがサブセットに含まれていてもよい。
【００４３】
いくつかの態様では、ＡＰは、ＳＴＡごとに充分な電力を確実にするために、ＳＴＡ送信を別々の物理レイヤコンバージェンスプロトコル（ＰＬＣＰ）プロトコルデータユニット（ＰＰＤＵ）に区切ることができる。ＡＰから遠いステーションは、ビームフォーミングによってそれらのリンクバジェットを増加させることによってサービスされ得る。
【００４４】
図４に図示されるように、個々のＳＴＡは、シリアルな方法でチャネルサウンディングフレームを送ることができる。サウンディングフレームは、時間のオーバーヘッドを低減するために、ステーションによって同時に送信することもできる。いくつかの態様によれば、サウンディングフレームは、ショートトレーニングフィールドおよびロングトレーニングフィールドのみを有するように最適化することができる。チャネルの可逆性(reversibility)の原則を使用して個々のサウンディングフレームをデコードし、較正係数を使用することによって、ＡＰは、複数のＳＴＡのための結合チャネル行列(joint channel matrix)を決定することができる。チャネル行列がいったん決定されると、ＡＰは、個々のＳＴＡのそれぞれのダウンリンクデータを符号化するために、プリコーディング行列を算出することができる。
【００４５】
示されるように、ＴＲＭ４０４の継続時間フィールドは、継続時間の間ワイヤレス媒体を確保(reserve)することによって、後続の送信（例えば、アップリンクサウンディングフレーム４０８）を保護することができる。いくつかの態様によれば、ＳＴＡに対する追加の保護は、サウンディングフレーム４０８に先立ってＳＴＡのそれぞれに送信可（ＣＴＳ）メッセージ４１０を送らせることによって達成することができる。
【００４６】
図４に図示されるように、送信は、Ｉｎｔｅｒ−Ｆｒａｍｅ  Ｓｅｐａｒａｔｉｏｎ持続時間によって分離され得る。例えば、ステーション間の送信は、Ｓｈｏｒｔ  Ｉｎｔｅｒ−Ｆｒａｍｅ  Ｓｅｐａｒａｔｉｏｎ（ＳＩＦＳ）持続時間４１２によって分離することができ、同じＳＴＡからの送信は、（さらに短い）Ｒｅｄｕｃｅｄ  Ｉｎｔｅｒ−Ｆｒａｍｅ  Ｓｅｐａｒａｔｉｏｎｓ（ＲＩＦＳ）持続時間４１４によって分離され得る。
【００４７】
決定論的なアップリンクスケジューリング
いくつかの態様によれば、ＡＰは、ＳＴＡがアップリンクにおいて送信すべきときを示すスケジューリング情報を送ることができる。この決定論的なスケジューリング情報は、そのＳＴＡがアップリンクにおいて送信すべきときをＡＰが各ＳＴＡに伝えることができる任意の適した形をとることができる。
【００４８】
いくつかの態様によれば、ＡＰは、ＳＴＡごとに特定の送信時間（またはオフセット）を指定するＴＲＭ４０４によりスケジューリング情報を送ることができる。例えば、ＡＰは、媒体アクセス制御識別（ＭＡＣ  ＩＤ）によって各ＳＴＡを識別し、ＳＴＡがサウンディングフレームを送るべきときを指定する対応する送信時間を提供することができる。
【００４９】
代替として、いくつかの態様によれば、ＡＰは、「決定論的なバックオフ」時間を各ＳＴＡに送ることができる。例えば、ＡＰは、そのＭＡＣ  ＩＤによって各ＳＴＡを識別し、ＳＴＡの対応するバックオフ時間を提供することができる。各ＳＴＡは、バックオフタイマーをスタートし、そのバックオフタイマーが期限切れになった場合／とき、送信することができる。各ＳＴＡは、媒体上の他のステーションから送信を検出すると、そのバックオフタイマーを再スタートすることができる。一例として、ＳＴＡ１およびＳＴＡ２は、それぞれ５および１０に等しいバックオフ時間が送信され得る。ＳＴＡ１のバックオフタイマーが期限切れになると、ＳＴＡ１は、そのサウンディングフレームを送ることができる。ＳＴＡ２は、ＳＴＡ１から送信を検出し、そのバックオフタイマーをリセットすることができる。ＳＴＡ２は、そのバックオフタイマーが期限切れになった後、そのサウンディングフレームを送ることもできる。
【００５０】
代替として、いくつかの態様によれば、ＡＰは、ＳＴＡがそれらのサウンディングフレームを送信する順序を指定することができる。例えば、ＡＰは、そのＭＡＣ  ＩＤによって各ＳＴＡを識別し、対応するシーケンス番号を提供することができる。各ＳＴＡは、他のステーションからの送信をリッスン(listen)し、そのサウンディングフレームを送るべきときを決定することができる。一例として、ＳＴＡ１およびＳＴＡ２に、それぞれ１および２に等しいシーケンス番号を割り当てることができる。したがって、ＳＴＡ１は、そのサウンディングフレームを送信するための第１のステーションであることができる。ＳＴＡ２は、ＳＴＡ１の送信を検出し、ＳＴＡ１からの送信が完了した後、そのサウンディングフレームを送信することができる。
【００５１】
いくつかの環境において、ＳＴＡは、他のステーションから送信を検出することができない場合があり、それは、そのサウンディングフレームを送信すべきときをＳＴＡが決定するのを防止する場合がある。しかし、いくつかの態様によれば、ＳＴＡは、そのサウンディングフレームを送信する前に送信要求（ＲＴＳ）を送信することができ、ＡＰからのＣＴＳメッセージを促すことができる。ＣＴＳメッセージは、すべてのＳＴＡによって聞かれなければならず、それによって、ステーションが他のＳＴＡを聞くことができない場合でさえ、各ＳＴＡが送信すべきときを決定することができる。
【００５２】
いくつかの態様では、ＡＰは、ＳＴＡのサブセットのサウンディングフレームまたはそれらのデータを保護するために、自己に対するＣＴＳ(CTS-to-self)メッセージを送ることができる。この技術は、ＡＰから遠いＳＴＡからの送信が自己に対するＣＴＳによって保護されるとき、より効率的なシステムをもたらし得る。
【００５３】
図４に図示されるように、ＡＰは、サウンディングフレームを受信した後、複数のＳＴＡのための結合チャネル行列を取得し、個々のＳＴＡのそれぞれのためのダウンリンクデータ（空間分割多元接続（ＳＤＭＡ）データ４１６）を符号化するために、プリコーディング行列を算出することができる。
【００５４】
いくつかの態様によれば、データ送信がいったん完了すると、ＳＴＡは、シリアルな方法でＢＡ４１８を送ることができる。ＢＡのシリアル送信の順序は、データと共に送られるＢＡスケジューリング情報において送信時間の指定を介して指定されていてもよい。上記のサウンディングフレームスケジューリング情報と同様に、ＢＡスケジューリング情報は、ＳＴＡごとに、バックオフ時間、特定の送信時間、またはシーケンス番号を指定することができる。
【００５５】
いくつかの態様によれば、ＢＡ送信のオーバーヘッドを低減するために、従来のＩＥＥＥ８０２．１１のＢＡ形式の代わりに、低減されたＢＡ形式を使用することができる。各ＳＴＡがそのＢＡを送信すべきときをＡＰがスケジュールすることができるので、ＡＰは、ＢＡの受信の時間から各ＢＡの送信者を識別することができる。
【００５６】
図５は、従来のＢＡ形式に対して低減されたサイズのＢＡ形式の一例を示す。いくつかの態様では、ＳＴＡは、ＢＡフレームに従来のＩＥＥＥ８０２．１１  ＭＡＣヘッダを含めずに、代わりに、より小さいフレームにおいてダウンリンクデータの受信の肯定応答をすることができる。例えば、図５に示されるＢＡ形式は、従来のＩＥＥＥ８０２．１１  ＢＡフレームの３２バイトと比較して１１バイトとされ得る。提案されたＢＡフレームは、ビットマップ５０２については８オクテット、開始シーケンスについては２オクテット、および巡回冗長検査（ＣＲＣ）５０６については１オクテットを含むことができる。
【００５７】
図６は、本開示のいくつかの態様による、ＢＡが並列に送信されるＭＵ―ＭＩＭＯ通信のためのメッセージの交換例を示す。図示されるように、図４で説明したシリアルな方法でＢＡを送信するのではなく、ＢＡ４１８は、アップリンクＭＵ―ＭＩＭＯ技術を使用して並列に送信され得る。ＡＰがＵＬ  ＭＵ―ＭＩＭＯ送信（ＳＤＭＡデータ６０２）をデコードすることができることを確実にするために時間および周波数の同期要件をＳＴＡが満たすのを助けるために、様々な技術を利用することができる。第１の技術によれば、ＢＡは、拡張されたサイクリックプレフィックス（ＣＰ）を含むシンボルを使用して送られ、したがって、同期要件が低減される。
【００５８】
第２の技術によれば、ＡＰは、例えばＳＴＡからのサウンディングフレームから測定される周波数オフセット補正、時間オフセット、または電力オフセットなど、ＵＬ  ＭＵ―ＭＩＭＯ情報を（例えば、ダウンリンクデータと共に）各ＳＴＡに送ることができる。ＳＴＡは、ＭＵ―ＭＩＭＯを使用してアップリンクＢＡを送るために、アップリンク送信情報を使用することができる。
【００５９】
図７は、上記の技術によるＭＵ―ＭＩＭＯワイヤレス通信のために、ＡＰによって実行され得る動作例７００を示す。７０２で、ＡＰは要求メッセージを複数のワイヤレスノード（例えば、ステーション）に送信し、要求メッセージは、ワイヤレスノードのそれぞれが要求メッセージに応答してメッセージを送信すべきときを示すスケジューリング情報を含む。いくつかの態様では、ＡＰは、ＴＲＭメッセージまたは送信要求（ＲＴＳ）メッセージをステーションに送ることができる。ステーションは、サウンディングフレームまたはＣＴＳメッセージを送信することによって要求メッセージに対して応答することができる。
【００６０】
７０４で、ＡＰは、スケジューリング情報に従って送信された応答メッセージをワイヤレスノードから受信する。７０６で、ＡＰは、少なくとも応答メッセージに基づいてＤＬ送信情報を計算する。例えば、応答メッセージは、サウンディングフレームを含むことができ、または、ＡＰは、ステーションのチャネル状態に関する情報をすでに有している場合があり、応答メッセージは、ＣＴＳのみを含むことができる。ＡＰは、ダウンリンク送信情報を算出するために、それが利用できるすべての情報を使用することができる。７０８で、ＡＰは、ＤＬ送信情報を使用して、ＤＬデータを複数のワイヤレスノードに同時に送信する。７１０で、ＡＰは、データと共に送られたＢＡスケジューリング情報に従って送られるＢＡをＳＴＡから受信することができる。
【００６１】
図８は、上記の技術に従ってＭＵ―ＭＩＭＯワイヤレス通信のためのワイヤレスノードによって実行され得る動作例８００を示す。８０２で、ワイヤレスノード（例えば、ステーション）は、ＡＰから要求メッセージを受信し、要求メッセージは、複数のワイヤレスノードのそれぞれが要求メッセージに応答してメッセージを送信すべきときを示すスケジューリング情報を備える。例えば、チャネル状態がＡＰによって知られている場合、要求メッセージは、ＴＲＭまたはＲＴＳメッセージとすることができる。ＳＴＡは、要求メッセージに対してサウンディングフレームまたはＣＴＳで応答することができる。
【００６２】
８０４で、ワイヤレスノードは、スケジューリング情報に従って応答メッセージをＡＰに送信する。８０６で、ＳＴＡは、ＡＰからＤＬデータを受信し、受信されたＤＬデータは、ＡＰから複数のワイヤレスノードに同時に送信されたＤＬデータの一部である。ワイヤレスノードは、ＡＰからＵＬ  ＭＵ―ＭＩＭＯおよびＢＡスケジューリング情報を受信することもできる。８０８で、ワイヤレスノードは、データと共に送られたＢＡスケジューリング情報に従って、ＢＡを送ることができる。
【００６３】
いくつかの態様では、ＡＰは、ダウンリンクデータを送りたいＳＴＡのそれぞれのチャネル状態に関する情報を有することができる。これは、ＡＰとＳＴＡとの間のチャネルがゆっくり変化するときに起こる可能性があり、ＡＰは、以前の送信からのチャネル状態情報（ＣＳＩ）を使用することができる。したがって、アクセスポイントは、サウンディングフレームの代わりにＣＴＳメッセージをＳＴＡに求めることができる。
【００６４】
図９は、本開示のいくつかの態様による、ＴＲＭがＣＴＳメッセージをスケジュールするＭＵ―ＭＩＭＯ通信のためのメッセージの交換例を示す。図示されるように、ＡＰは、ダウンリンクデータを有する１つまたは複数のＳＴＡ４０６からの一連のＣＴＳメッセージ４１０をスケジュールするＴＲＭ４０４メッセージを送信する。ＡＰは、ステーション４０６からＣＴＳメッセージ４１０を受信した後、ステーションにダウンリンクＳＤＭＡデータ４１６を送ることができる。
【００６５】
いくつかの態様では、ＡＰは、ＳＴＡのうちの１つからＣＴＳのみ取得するだけでよいとき、ＴＲＭメッセージを送信要求（ＲＴＳ）メッセージに置き換えることができる。アクセスポイントは、ＣＴＳを送るべきＳＴＡのうちの１つをランダムに選択することができる。いくつかの態様では、ＡＰは、ＳＴＡの位置に基づいてＣＴＳを送るべきＳＴＡを選ぶことができる。例えば、ＡＰは、最大の保護を達成するために、ＡＰから最も遠いＳＴＡを選択することができる。
【００６６】
図１０は、本開示のいくつかの態様による、送信要求（ＲＴＳ）メッセージ１００２がステーションに送信されるＭＵ―ＭＩＭＯ通信のためのメッセージの交換例を示す。図示されるように、ＡＰは、ＲＴＳメッセージを１つまたは複数のステーションに送信する。ＡＰによって選択されるステーションのうちの１つは、ＣＴＳ４１０メッセージを送ることによってＲＴＳに応答する。ＡＰは、ＣＴＳを受信した後、ステーション４０６にダウンリンクＳＤＭＡデータ４１６を送ることができる。
【００６７】
上記の方法の様々な動作は、対応する機能を実行することができる任意の適した手段によって実行することができる。この手段は、それだけには限定されないが、回路、特定用途向け集積回路（ＡＳＩＣ）、またはプロセッサを含めて、様々なハードウェアおよび／またはソフトウェア構成要素および／またはモジュールを含み得る。一般に、図に示される動作がある場合、こうした動作には、相当する、同様に番号付けされた対応物の手段＋機能の構成要素があり得る。例えば、図７および図８に示される動作７００および８００は、図７Ａおよび図８Ａに示される対応する手段７００Ａおよび８００Ａによって実行され得る。
【００６８】
上記の方法の様々な動作は、様々なハードウェアおよび／またはソフトウェア構成要素、回路、および／またはモジュールなど、動作を実行することができる任意の適した手段によって実行され得る。一般に、図に示された任意の動作は、動作を実行することができる対応する機能手段によって実行され得る。
【００６９】
本明細書において使用する場合、「決定する(determining)」という用語は、様々なアクションを含む。例えば、「決定する」は、計算する、算出する、処理する、導出する、調査する、調べる（例えば、テーブル、データベース、または他のデータ構造を調べる）、確認することなどを含み得る。また、「決定する」は、受信する（例えば、情報を受信する）こと、アクセスする（例えば、メモリのデータにアクセスする）ことなどを含み得る。また、「決定する」は、解決すること、選択すること、選ぶこと、確立することなどを含み得る。
【００７０】
本明細書において使用する場合、「ＸまたはＹのうちの少なくとも１つ」というフレーズは、ＸとＹの組み合わせを含むものとする。言い換えれば、「ＸまたはＹのうちの少なくとも１つ」は、Ｘ、Ｙ、ならびにＸとＹの組み合わせを含む。
【００７１】
本開示に関連して記載されている様々な図示の論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラム可能な論理デバイス（ＰＬＤ）、個別のゲートもしくはトランジスタ論理、個別のハードウェア構成要素、または本明細書に記載されている機能を実行するように設計されているそれらの任意の組み合わせで実施または実行することができる。汎用プロセッサは、マイクロプロセッサでもよいが、別の方法では、プロセッサは、任意の市販のプロセッサ、コントローラ、マイクロコントローラ、またはステートマシンでもあってもよい。プロセッサは、例えば、ＤＳＰとマイクロプロセッサの組み合わせ、複数のマイクロプロセッサ、ＤＳＰコアと連動する１つまたは複数のマイクロプロセッサ、または任意の他のこうした構成など、コンピューティングデバイスの組み合わせとして実施することもできる。
【００７２】
本開示に関連して記載されている方法またはアルゴリズムのステップは、直接ハードウェアに、プロセッサによって実行されるソフトウェアモジュールに、または２つの組み合わせに組み込むことができる。ソフトウェアモジュールは、当技術分野で知られている任意の形の記憶媒体にあってもよい。使用され得る記憶媒体のいくつかの例は、ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、取り外し式ディスク、ＣＤ−ＲＯＭなどを含む。ソフトウェアモジュールは、単一の命令または多くの命令を備えることができ、いくつかの異なるコードセグメントを介して、異なるプログラム間で、および複数の記憶媒体にわたって分散することができる。プロセッサが記憶媒体から情報を読み込むことができ、記憶媒体に情報を書き込むことができるように、記憶媒体をプロセッサに結合することができる。別の方法では、記憶媒体は、プロセッサに一体型とすることができる。
【００７３】
本明細書に開示される方法は、記載されている方法を達成するための１つまたは複数のステップまたはアクションを備える。特許請求の範囲から逸脱することなく、方法ステップ、および／またはアクションを互いに交換することができる。言い換えれば、ステップまたはアクションの特定の順序が特定されていない限り、特定のステップおよび／またはアクションの順序および／または使用は、特許請求の範囲から逸脱することなく修正することができる。
【００７４】
記載されている機能は、ハードウェア、ソフトウェア、ファームウェア、またはそれらの任意の組み合わせで実施することができる。ソフトウェアで実施する場合、機能は、コンピュータ可読媒体に１つまたは複数の命令として格納することができる。記憶媒体は、コンピュータによってアクセスすることができる任意の使用可能な媒体とすることができる。一例として、限定ではないが、こうしたコンピュータ可読媒体は、ＲＡＭ、ＲＯＭ、ＥＥＰＲＯＭ、ＣＤ−ＲＯＭ、もしくは他の光学ディスク記憶装置、磁気ディスク記憶装置、もしくは他の磁気記憶デバイス、または命令もしくはデータ構造の形で所望のプログラムコードを運ぶもしくは格納するために使用することができ、コンピュータによってアクセスすることができる他の任意の媒体を備え得る。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびＢｌｕ―ｒａｙ（登録商標）ディスクを含み、この場合、ディスク（disk）は通常磁気的にデータを再生し、ディスク（disc）はレーザーでデータを光学的に再生する。
【００７５】
したがって、いくつかの態様は、本明細書において提示される動作を実行するためのコンピュータプログラム製品を備え得る。例えば、こうしたコンピュータプログラム製品は、命令が格納される（および／または符号化される）コンピュータ可読媒体を備えることができ、命令は、本明細書に記載されている動作を実行するために１つまたは複数のプロセッサによって実行可能である。いくつかの態様では、コンピュータプログラム製品は、実装材料を含むことができる。
【００７６】
ソフトウェアまたは命令は、送信媒体を介して送信することもできる。例えば、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースからソフトウェアが送信される場合、同軸ケーブル、光ファイバーケーブル、ツイストペア、ＤＳＬ、または赤外線、無線、およびマイクロ波などのワイヤレス技術は送信媒体の定義に含まれる。
【００７７】
さらに、本明細書に記載されている方法および技術を実行するためのモジュールおよび／または他の適した手段を、ユーザ端末および／または基地局によって適宜ダウンロードし、および／またはそうでなければ取得することができることを理解されたい。例えば、こうしたデバイスは、本明細書に記載されている方法を実行するための手段の転送を容易にするために、サーバに結合することができる。あるいは、格納手段をデバイスに結合または提供すると、ユーザ端末および／または基地局は、様々な方法を取得することができるように、格納手段（例えばＲＡＭ、ＲＯＭ、コンパクトディスク（ＣＤ）またはフロッピーディスクなどの物理記憶媒体）を介して、本明細書に記載されている様々な方法を提供することができる。さらに、本明細書に記載されている方法および技術をデバイスに提供するための他の任意の適した技術を使用することができる。
【００７８】
特許請求の範囲は、上記に示した正確な構成および構成要素に限定されないことを理解されたい。上記の方法および装置の構成、動作、および詳細において、特許請求の範囲を逸脱することなく、様々な修正、変更、および変形を加えることができる。
【００７９】
本明細書に提供されている技術は、様々な用途で使用することができる。いくつかの態様では、本明細書に提示される技術は、ここに提供されている技術を実行するために、アクセスポイントステーション、アクセス端末、モバイルハンドセット、または処理ロジックおよび要素を有する他のタイプのワイヤレスデバイスに組み込むことができる。
【００８０】
上記は、本開示の態様を対象とするが、その基本的な範囲を逸脱することなく、開示の他のおよびさらなる態様を考案することができ、その範囲は、以下の特許請求の範囲によって決定される。
【図１】
2015029292.tif 000003
【図２】
2015029292.tif 000004
【図３】
2015029292.tif 000005
【図４】
2015029292.tif 000006
【図５】
2015029292.tif 000007
【図６】
2015029292.tif 000008
【図７】
2015029292.tif 000009
【図７Ａ】
2015029292.tif 000010
【図８】
2015029292.tif 000011
【図８Ａ】
2015029292.tif 000012
【図９】
2015029292.tif 000013
【図１０】
2015029292.tif 000014
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
複数の装置のそれぞれが要求メッセージに応答してメッセージを送信すべきときを示すスケジューリング情報を備える前記要求メッセージを前記複数の装置に送信することと、
前記スケジューリング情報に従って送信された１つまたは複数の応答メッセージを前記複数の装置から受信することと、
少なくとも前記応答メッセージに基づいて送信情報を計算することと、
前記計算された送信情報を使用してデータを前記複数の装置に同時に送信することと
を備えるワイヤレス通信のための方法。
【手続補正２】
【補正対象書類名】明細書
【補正対象項目名】００８０
【補正方法】変更
【補正の内容】
【００８０】
上記は、本開示の態様を対象とするが、その基本的な範囲を逸脱することなく、開示の他のおよびさらなる態様を考案することができ、その範囲は、以下の特許請求の範囲によって決定される。
以下に、本願の出願当初請求項に記載された発明を付記する。
［Ｃ１］
複数の装置のそれぞれが要求メッセージに応答してメッセージを送信すべきときを示すスケジューリング情報を備える前記要求メッセージを前記複数の装置に送信することと、
前記スケジューリング情報に従って送信された１つまたは複数の応答メッセージを前記複数の装置から受信することと、
少なくとも前記応答メッセージに基づいて送信情報を計算することと、
前記計算された送信情報を使用してデータを前記複数の装置に同時に送信することと
を備えるワイヤレス通信のための方法。
［Ｃ２］
前記要求メッセージが、トレーニング要求メッセージ（ＴＲＭ）または送信要求（ＲＴＳ）メッセージのうちの少なくとも１つを備える上記Ｃ１に記載の方法。
［Ｃ３］
前記要求メッセージがＴＲＭメッセージを備え、
前記応答メッセージが、１つまたは複数の送信可（ＣＴＳ）メッセージを受信した後受信される１つまたは複数のサウンディングフレームを備える
上記Ｃ２に記載の方法。
［Ｃ４］
前記サウンディングフレームが、チャネルサウンディングフレーム、チャネル品質インジケータ（ＣＱＩ）、または要求情報のうちの少なくとも１つを備える上記Ｃ３に記載の方法。
［Ｃ５］
前記要求メッセージが、前記要求メッセージを受信する前記複数の装置のサブセットのみに応答を求める上記Ｃ１に記載の方法。
［Ｃ６］
前記複数の装置のサブセットが、どの装置が古いチャネル状態情報を有するかに基づいて選択される上記Ｃ５に記載の方法。
［Ｃ７］
前記複数の装置のサブセットが、前記複数の装置の位置に基づいて選択される上記Ｃ５に記載の方法。
［Ｃ８］
前記要求メッセージが、少なくとも前記応答メッセージのためにワイヤレス媒体を確保するための継続時間フィールドを備える上記Ｃ１に記載の方法。
［Ｃ９］
前記要求メッセージが、肯定応答メッセージの送信までワイヤレス媒体を確保するための継続時間フィールドを備える上記Ｃ１に記載の方法。
［Ｃ１０］
前記スケジューリング情報が、前記複数の装置によって応答メッセージを送るための決定論的なバックオフ時間を備える上記Ｃ１に記載の方法。
［Ｃ１１］
前記スケジューリング情報が、前記複数の装置によって応答メッセージを送るためのスケジュールされた送信時間を備える上記Ｃ１に記載の方法。
［Ｃ１２］
前記スケジューリング情報が、応答メッセージを送るべきときを決定するために、前記複数の装置のそれぞれによって使用するためのシーケンス番号を備える上記Ｃ１に記載の方法。
［Ｃ１３］
前記複数の装置が前記データの受信に肯定応答するブロック肯定応答（ＢＡ）を送るべきときを示すＢＡスケジューリング情報を前記データと共に送信することと、
前記ＢＡスケジューリング情報に従ってＢＡを受信することと
をさらに備える上記Ｃ１に記載の方法。
［Ｃ１４］
前記ＢＡがシリアルな方法で前記複数の装置から送られる上記Ｃ１３に記載の方法。
［Ｃ１５］
前記ＢＡが前記複数の装置から同時に送られる上記Ｃ１３に記載の方法。
［Ｃ１６］
前記ＢＡが長いサイクリックプレフィックス（ＣＰ）と共に送られる上記Ｃ１５に記載の方法。
［Ｃ１７］
前記データと共に前記送信情報を送ることをさらに含み、前記ＢＡが、前記送信情報を使用して送られる
上記Ｃ１３に記載の方法。
［Ｃ１８］
前記送信情報が、時間オフセット、電力オフセット、または周波数オフセットのうちの少なくとも１つを備える上記Ｃ１７に記載の方法。
［Ｃ１９］
前記送信情報を使用して前記データを前記複数の装置に同時に送信することが、
前記データを異なるフレームで、前記複数の装置の異なるサブセットに送信することを備える
上記Ｃ１に記載の方法。
［Ｃ２０］
前記データを保護するために、送信可（ＣＴＳ）メッセージを送信すること
をさらに備える上記Ｃ１に記載の方法。
［Ｃ２１］
複数の装置のそれぞれが要求メッセージに応答してメッセージを送信すべきときを示すスケジューリング情報を備える前記要求メッセージを装置から受信することと、
前記スケジューリング情報に従って前記応答メッセージを前記装置に送信することと、
データを前記装置から受信することと、受信されたデータは前記装置から前記複数の装置に同時に送信されたデータの一部である
を備えるワイヤレス通信のための方法。
［Ｃ２２］
前記要求メッセージが、トレーニング要求メッセージ（ＴＲＭ）を備え、
前記応答メッセージを送信することが、送信可メッセージを送信した後、サウンディングフレームを送信することを備える
上記Ｃ２１に記載の方法。
［Ｃ２３］
前記サウンディングフレームが、チャネルサウンディングフレーム、チャネル品質インジケータ（ＣＱＩ）、または要求情報のうちの少なくとも１つを備える上記Ｃ２２に記載の方法。
［Ｃ２４］
前記要求メッセージが、前記要求メッセージを受信する複数の装置のサブセットのみに応答を求める上記Ｃ２１に記載の方法。
［Ｃ２５］
前記複数の装置のサブセットが、どの装置が古いチャネル状態情報を有するかに基づいて選択される上記Ｃ２４に記載の方法。
［Ｃ２６］
前記要求メッセージが、少なくとも前記応答メッセージのためにワイヤレス媒体を確保するための継続時間フィールドを備える上記Ｃ２１に記載の方法。
［Ｃ２７］
前記スケジューリング情報が、複数の装置のそれぞれによって応答メッセージを送るための決定論的なバックオフ時間を備える上記Ｃ２１に記載の方法。
［Ｃ２８］
前記スケジューリング情報が、前記複数の装置のそれぞれによって応答メッセージを送るためのスケジュールされた送信時間を備える上記Ｃ２１に記載の方法。
［Ｃ２９］
前記スケジューリング情報が、前記複数の装置が前記応答メッセージを送るべき順序を決定するシーケンス番号を備える上記Ｃ２１に記載の方法。
［Ｃ３０］
前記複数の装置が前記データの受信に肯定応答するブロック肯定応答（ＢＡ）を送るべきときを示すＢＡスケジューリング情報を前記データと共に受信することと、
前記ＢＡスケジューリング情報に従ってＢＡを送信することと
をさらに備える上記Ｃ２１に記載の方法。
［Ｃ３１］
前記スケジューリング情報が、ＢＡがシリアルな方法で前記複数の装置から送られることになっていることを示す上記Ｃ３０に記載の方法。
［Ｃ３２］
前記スケジューリング情報が、前記ＢＡが前記複数の装置から同時に送られることになっていることを示す上記Ｃ３０に記載の方法。
［Ｃ３３］
前記ＢＡが長いサイクリックプレフィックス（ＣＰ）と共に送信される上記Ｃ３２に記載の方法。
［Ｃ３４］
送信情報を前記データと共に受信することをさらに備え、前記ＢＡが、前記送信情報を使用して送信される上記Ｃ３０に記載の方法。
［Ｃ３５］
前記送信情報が、時間オフセット、電力オフセット、または周波数オフセットのうちの少なくとも１つを備える上記Ｃ３４に記載の方法。
［Ｃ３６］
複数の装置のそれぞれが要求メッセージに応答してメッセージを送信すべきときを示すスケジューリング情報を備える前記要求メッセージを前記複数の装置に送信するように構成された送信機と、
前記スケジューリング情報に従って送信された１つまたは複数の応答メッセージを前記複数の装置から受信するように構成された受信機と、
少なくとも前記応答メッセージに基づいて送信情報を計算するように構成された回路と
を備え、前記送信機が、前記計算された送信情報を使用してデータを前記複数の装置に同時に送信するようにさらに構成される
ワイヤレス通信のための装置。
［Ｃ３７］
前記要求メッセージが、トレーニング要求メッセージ（ＴＲＭ）または送信要求（ＲＴＳ）メッセージのうちの少なくとも１つを備える上記Ｃ３６に記載の装置。
［Ｃ３８］
前記要求メッセージが、ＴＲＭメッセージを備え、
前記応答メッセージが、１つまたは複数の送信可（ＣＴＳ）メッセージを受信した後受信される１つまたは複数のサウンディングフレームを備える
上記Ｃ３７に記載の装置。
［Ｃ３９］
前記サウンディングフレームが、チャネルサウンディングフレーム、チャネル品質インジケータ（ＣＱＩ）、または要求情報のうちの少なくとも１つを備える上記Ｃ３８に記載の装置。
［Ｃ４０］
前記要求メッセージが、前記要求メッセージを受信する前記複数の装置のサブセットのみに応答を求める上記Ｃ３６に記載の装置。
［Ｃ４１］
前記複数の装置のサブセットが、どの装置が古いチャネル状態情報を有するかに基づいて選択される上記Ｃ４０に記載の装置。
［Ｃ４２］
前記複数の装置のサブセットが、前記複数の装置の位置に基づいて選択される上記Ｃ４０に記載の装置。
［Ｃ４３］
前記要求メッセージが、少なくとも前記応答メッセージのためにワイヤレス媒体を確保するための継続時間フィールドを備える上記Ｃ３６に記載の装置。
［Ｃ４４］
前記要求メッセージが、肯定応答メッセージの送信までワイヤレス媒体を確保するための継続時間フィールドを備える上記Ｃ３６に記載の装置。
［Ｃ４５］
前記スケジューリング情報が、前記複数の装置によって応答メッセージを送るための決定論的なバックオフ時間を備える上記Ｃ３６に記載の装置。
［Ｃ４６］
前記スケジューリング情報が、前記複数の装置によって応答メッセージを送るためのスケジュールされた送信時間を備える上記Ｃ３６に記載の装置。
［Ｃ４７］
前記スケジューリング情報が、応答メッセージを送るべきときを決定するために、前記複数の装置のそれぞれによって使用するためのシーケンス番号を備える上記Ｃ３６に記載の装置。
［Ｃ４８］
前記送信機が、前記複数の装置が前記データの受信に肯定応答するブロック肯定応答（ＢＡ）を送るべきときを示すＢＡスケジューリング情報を前記データと共に送信するようにさらに構成され、
前記受信機が、前記ＢＡスケジューリング情報に従ってＢＡを受信するようにさらに構成される
上記Ｃ３６に記載の装置。
［Ｃ４９］
前記ＢＡがシリアルな方法で前記複数の装置から送られる上記Ｃ４８に記載の装置。
［Ｃ５０］
前記ＢＡが前記複数の装置から同時に送られる上記Ｃ４８に記載の装置。
［Ｃ５１］
前記ＢＡが長いサイクリックプレフィックス（ＣＰ）と共に送られる上記Ｃ５０に記載の装置。
［Ｃ５２］
前記送信機が前記データと共に前記送信情報を送るようにさらに構成され、前記ＢＡが前記送信情報を使用して送られる上記Ｃ４８に記載の装置。
［Ｃ５３］
前記送信情報が、時間オフセット、電力オフセット、または周波数オフセットのうちの少なくとも１つを備える上記Ｃ５２に記載の装置。
［Ｃ５４］
前記送信情報を使用して前記データを前記複数の装置に同時に送信するように構成された前記送信機が、前記データを異なるフレームで、前記複数の装置の異なるサブセットに送信するようにさらに構成される上記Ｃ３６に記載の装置。
［Ｃ５５］
前記送信機が、前記データを保護するために、送信可（ＣＴＳ）メッセージを送信するようにさらに構成される上記Ｃ３６に記載の装置。
［Ｃ５６］
複数の装置のそれぞれが要求メッセージに応答してメッセージを送信すべきときを示すスケジューリング情報を備える前記要求メッセージを装置から受信するように構成された受信機と、
前記スケジューリング情報に従って前記応答メッセージを前記装置に送信するように構成された送信機と
を備え、前記受信機が、データを前記装置から受信するようにさらに構成され、受信されたデータは前記装置から前記複数の装置に同時に送信されたデータの一部である
ワイヤレス通信のための装置。
［Ｃ５７］
前記要求メッセージが、トレーニング要求メッセージ（ＴＲＭ）を備え、
前記応答メッセージを送信するように構成された前記送信機が、送信可メッセージを送信した後、サウンディングフレームを送信するようにさらに構成される
上記Ｃ５６に記載の装置。
［Ｃ５８］
前記サウンディングフレームが、チャネルサウンディングフレーム、チャネル品質インジケータ（ＣＱＩ）、または要求情報のうちの少なくとも１つを備える上記Ｃ５７に記載の装置。
［Ｃ５９］
前記要求メッセージが、前記要求メッセージを受信する複数の装置のサブセットのみに応答を求める上記Ｃ５６に記載の装置。
［Ｃ６０］
前記複数の装置のサブセットが、どの装置が古いチャネル状態情報を有するかに基づいて選択される上記Ｃ５９に記載の装置。
［Ｃ６１］
前記要求メッセージが、少なくとも前記応答メッセージのためにワイヤレス媒体を確保するための継続時間フィールドを備える上記Ｃ５６に記載の装置。
［Ｃ６２］
前記スケジューリング情報が、複数の装置のそれぞれによって応答メッセージを送るための決定論的なバックオフ時間を備える上記Ｃ５６に記載の装置。
［Ｃ６３］
前記スケジューリング情報が、前記複数の装置のそれぞれによって応答メッセージを送るためのスケジュールされた送信時間を備える上記Ｃ５６に記載の装置。
［Ｃ６４］
前記スケジューリング情報が、前記複数の装置が前記応答メッセージを送るべき順序を決定するシーケンス番号を備える上記Ｃ５６に記載の装置。
［Ｃ６５］
前記受信機が、前記複数の装置が前記データの受信に肯定応答するブロック肯定応答（ＢＡ）を送るべきときを示すＢＡスケジューリング情報を前記データと共に受信するようにさらに構成され、
前記送信機が、前記ＢＡスケジューリング情報に従ってＢＡを送信するようにさらに構成される
上記Ｃ５６に記載の装置。
［Ｃ６６］
前記スケジューリング情報が、ＢＡがシリアルな方法で前記複数の装置から送られることになっていることを示す上記Ｃ６５に記載の装置。
［Ｃ６７］
前記スケジューリング情報が、前記ＢＡが前記複数の装置から同時に送られることになっていることを示す上記Ｃ６５に記載の装置。
［Ｃ６８］
前記ＢＡが長いサイクリックプレフィックス（ＣＰ）と共に送信される上記Ｃ６７に記載の装置。
［Ｃ６９］
前記受信機が、送信情報を前記データと共に受信するようにさらに構成され、前記ＢＡが、前記送信情報を使用して送信される上記Ｃ６５に記載の装置。
［Ｃ７０］
前記送信情報が、時間オフセット、電力オフセット、または周波数オフセットのうちの少なくとも１つを備える上記Ｃ６９に記載の装置。
［Ｃ７１］
複数の装置のそれぞれが要求メッセージに応答してメッセージを送信すべきときを示すスケジューリング情報を備える前記要求メッセージを前記複数の装置に送信するための手段と、
前記スケジューリング情報に従って送信された１つまたは複数の応答メッセージを前記複数の装置から受信するための手段と、
少なくとも前記応答メッセージに基づいて送信情報を計算するための手段と
を備え、送信するための前記手段が、前記計算された送信情報を使用してデータを前記複数の装置に同時に送信するようにさらに構成される
ワイヤレス通信のための装置。
［Ｃ７２］
前記要求メッセージが、トレーニング要求メッセージ（ＴＲＭ）または送信要求（ＲＴＳ）メッセージのうちの少なくとも１つを備える上記Ｃ７１に記載の装置。
［Ｃ７３］
前記要求メッセージが、ＴＲＭメッセージを備え、
前記応答メッセージが、１つまたは複数の送信可（ＣＴＳ）メッセージを受信した後受信される１つまたは複数のサウンディングフレームを備える
上記Ｃ７２に記載の装置。
［Ｃ７４］
前記サウンディングフレームが、チャネルサウンディングフレーム、チャネル品質インジケータ（ＣＱＩ）、または要求情報のうちの少なくとも１つを備える上記Ｃ７３に記載の装置。
［Ｃ７５］
前記要求メッセージが、前記要求メッセージを受信する前記複数の装置のサブセットのみに応答を求める上記Ｃ７１に記載の装置。
［Ｃ７６］
前記複数の装置のサブセットが、どの装置が古いチャネル状態情報を有するかに基づいて選択される上記Ｃ７５に記載の装置。
［Ｃ７７］
前記複数の装置のサブセットが、前記複数の装置の位置に基づいて選択される上記Ｃ７５に記載の装置。
［Ｃ７８］
前記要求メッセージが、少なくとも前記応答メッセージのためにワイヤレス媒体を確保するための継続時間フィールドを備える上記Ｃ７１に記載の装置。
［Ｃ７９］
前記要求メッセージが、肯定応答メッセージの送信までワイヤレス媒体を確保するための継続時間フィールドを備える上記Ｃ７１に記載の装置。
［Ｃ８０］
前記スケジューリング情報が、前記複数の装置によって応答メッセージを送るための決定論的なバックオフ時間を備える上記Ｃ７１に記載の装置。
［Ｃ８１］
前記スケジューリング情報が、前記複数の装置によって応答メッセージを送るためのスケジュールされた送信時間を備える上記Ｃ７１に記載の装置。
［Ｃ８２］
前記スケジューリング情報が、応答メッセージを送るべきときを決定するために、前記複数の装置のそれぞれによって使用するためのシーケンス番号を備える上記Ｃ７１に記載の装置。
［Ｃ８３］
送信するための前記手段が、前記複数の装置が前記データの受信に肯定応答するブロック肯定応答（ＢＡ）を送るべきときを示すＢＡスケジューリング情報を前記データと共に送信するようにさらに構成され、
受信するための前記手段が、前記ＢＡスケジューリング情報に従ってＢＡを受信するようにさらに構成される
上記Ｃ７１に記載の装置。
［Ｃ８４］
前記ＢＡがシリアルな方法で前記複数の装置から送られる上記Ｃ８３に記載の装置。
［Ｃ８５］
前記ＢＡが前記複数の装置から同時に送られる上記Ｃ８３に記載の装置。
［Ｃ８６］
前記ＢＡが長いサイクリックプレフィックス（ＣＰ）と共に送られる上記Ｃ８５に記載の装置。
［Ｃ８７］
送信するための前記手段が、前記データと共に前記送信情報を送るようにさらに構成され、前記ＢＡが、前記送信情報を使用して送られる上記Ｃ８３に記載の装置。
［Ｃ８８］
前記送信情報が、時間オフセット、電力オフセット、または周波数オフセットのうちの少なくとも１つを備える上記Ｃ８７に記載の装置。
［Ｃ８９］
前記送信情報を使用して前記データを前記複数の装置に同時に送信するための前記手段が、
前記データを異なるフレームで、前記複数の装置の異なるサブセットに送信するための手段
を備える上記Ｃ７１に記載の装置。
［Ｃ９０］
送信するための前記手段が、前記データを保護するために、送信可（ＣＴＳ）メッセージを送信するようにさらに構成される上記Ｃ７１に記載の装置。
［Ｃ９１］
複数の装置のそれぞれが要求メッセージに応答してメッセージを送信すべきときを示すスケジューリング情報を備える前記要求メッセージを装置から受信し、データを前記装置から受信するための手段と、受信されたデータは前記装置から前記複数の装置に同時に送信されたデータの一部であり、
前記スケジューリング情報に従って前記応答メッセージを前記装置に送信するための手段と
を備えるワイヤレス通信のための装置。
［Ｃ９２］
前記要求メッセージが、トレーニング要求メッセージ（ＴＲＭ）を備え、
前記応答メッセージを送信するための前記手段が、送信可メッセージを送信した後、サウンディングフレームを送信するための手段を備える
上記Ｃ９１に記載の装置。
［Ｃ９３］
前記サウンディングフレームが、チャネルサウンディングフレーム、チャネル品質インジケータ（ＣＱＩ）、または要求情報のうちの少なくとも１つを備える上記Ｃ９２に記載の装置。
［Ｃ９４］
前記要求メッセージが、前記要求メッセージを受信する複数の装置のサブセットのみに応答を求める上記Ｃ９１に記載の装置。
［Ｃ９５］
前記複数の装置のサブセットが、どの装置が古いチャネル状態情報を有するかに基づいて選択される上記Ｃ９４に記載の装置。
［Ｃ９６］
前記要求メッセージが、少なくとも前記応答メッセージのためにワイヤレス媒体を確保するための継続時間フィールドを備える上記Ｃ９１に記載の装置。
［Ｃ９７］
前記スケジューリング情報が、複数の装置のそれぞれによって応答メッセージを送るための決定論的なバックオフ時間を備える上記Ｃ９１に記載の装置。
［Ｃ９８］
前記スケジューリング情報が、前記複数の装置のそれぞれによって応答メッセージを送るためのスケジュールされた送信時間を備える上記Ｃ９１に記載の装置。
［Ｃ９９］
前記スケジューリング情報が、前記複数の装置が前記応答メッセージを送るべき順序を決定するシーケンス番号を備える上記Ｃ９１に記載の装置。
［Ｃ１００］
受信するための前記手段が、前記複数の装置が前記データの受信に肯定応答するブロック肯定応答（ＢＡ）を送るべきときを示すＢＡスケジューリング情報を前記データと共に受信するようにさらに構成され、
送信するための前記手段が、前記ＢＡスケジューリング情報に従ってＢＡを送信するようにさらに構成される
上記Ｃ９１に記載の装置。
［Ｃ１０１］
前記スケジューリング情報が、ＢＡがシリアルな方法で前記複数の装置から送られることになっていることを示す上記Ｃ１００に記載の装置。
［Ｃ１０２］
前記スケジューリング情報が、前記ＢＡが前記複数の装置から同時に送られることになっていることを示す上記Ｃ１００に記載の装置。
［Ｃ１０３］
前記ＢＡが長いサイクリックプレフィックス（ＣＰ）と共に送信される上記Ｃ１０２に記載の装置。
［Ｃ１０４］
受信するための前記手段が、送信情報を前記データと共に受信するようにさらに構成され、前記ＢＡが、前記送信情報を使用して送信される上記Ｃ１００に記載の装置。
［Ｃ１０５］
前記送信情報が、時間オフセット、電力オフセット、または周波数オフセットのうちの少なくとも１つを備える上記Ｃ１０４に記載の装置。
［Ｃ１０６］
複数のアンテナと、
複数の装置のそれぞれが要求メッセージに応答してメッセージを送信すべきときを示すスケジューリング情報を備える前記要求メッセージを、前記複数のアンテナを介して前記複数の装置に送信するように構成された送信機と、
前記スケジューリング情報に従って送信された１つまたは複数の応答メッセージを前記複数の装置から受信するように構成された受信機と、
少なくとも前記応答メッセージに基づいて送信情報を計算するように構成された回路と
を備え、前記送信機が、前記計算された送信情報を使用してデータを前記複数の装置に同時に送信するようにさらに構成される
ワイヤレス通信のためのアクセスポイント。
［Ｃ１０７］
少なくとも１つのアンテナと、
複数の装置のそれぞれが要求メッセージに応答してメッセージを送信すべきときを示すスケジューリング情報を備える前記要求メッセージを、前記少なくとも１つのアンテナを介して装置から受信し、データを前記装置から受信するように構成された受信機と、受信されたデータは前記装置から前記複数の装置に同時に送信されたデータの一部であり、
前記スケジューリング情報に従って前記応答メッセージを前記装置に送信するように構成された送信機と
を備えるワイヤレス通信のためのステーション。
［Ｃ１０８］
複数の装置のそれぞれが要求メッセージに応答してメッセージを送信すべきときを示すスケジューリング情報を備える前記要求メッセージを前記複数の装置に送信するように実行可能な命令と、
前記スケジューリング情報に従って送信された１つまたは複数の応答メッセージを前記複数の装置から受信するように実行可能な命令と、
少なくとも前記応答メッセージに基づいて送信情報を計算するように実行可能な命令と、
前記計算された送信情報を使用してデータを前記複数の装置に同時に送信するように実行可能な命令と
を備えるコンピュータ可読媒体を備えるワイヤレス通信のためのコンピュータプログラム製品。
［Ｃ１０９］
複数の装置のそれぞれが要求メッセージに応答してメッセージを送信すべきときを示すスケジューリング情報を備える前記要求メッセージを装置から受信するように実行可能な命令と、
前記スケジューリング情報に従って前記応答メッセージを前記装置に送信するように実行可能な命令と、
データを前記装置から受信するように実行可能な命令と、受信されたデータは前記装置から前記複数の装置に同時に送信されたデータの一部である
を備えるコンピュータ可読媒体を備えるワイヤレス通信のためのコンピュータプログラム製品。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数の装置のうちの１つの装置において、アップリンク送信情報を受信することと、
ダウンリンクデータの受信に応答して、前記１つの装置から、前記アップリンク送信情報を用いてアップリンクブロック肯定応答（ＢＡ）を送信することと、
を備える方法。
【請求項２】
前記アップリンク送信情報は、前記複数の装置に関連したアップリンクマルチユーザ多入力多出力（ＭＵ−ＭＩＭＯ）情報を含む、請求項１に記載の方法。
【請求項３】
前記アップリンク送信情報を受信することは、
前記ダウンリンクデータ内で前記アップリンク送信情報を受信することを含む、請求項１に記載の方法。
【請求項４】
前記アップリンク送信情報は、周波数オフセット補正、時間オフセット、または電力オフセットのうちの少なくとも１つを含む、請求項１に記載の方法。
【請求項５】
前記周波数オフセット補正は、前記装置によって送信されたサウンディングフレームから測定される、請求項４に記載の方法。
【請求項６】
前記アップリンクＢＡを送信することは、
マルチユーザ多入力多出力（ＭＵ−ＭＩＭＯ）送信スキームを使用して前記アップリンクＢＡを送信することを含む、請求項１に記載の方法。
【請求項７】
ワイヤレス通信のための装置であって、
複数の装置に対して送信されたアップリンク送信情報を受信するように構成された受信機と、
ダウンリンクデータの受信に応答して、前記アップリンク送信情報を用いてアップリンクブロック肯定応答（ＢＡ）を送信するように構成された送信機と、
を備える装置。
【請求項８】
前記アップリンク送信情報は、前記複数の装置に関連したアップリンクマルチユーザ多入力多出力（ＭＵ−ＭＩＭＯ）情報を含む、請求項７に記載の装置。
【請求項９】
前記受信機は、さらに、
前記ダウンリンクデータ内で前記アップリンク送信情報を受信するように構成される、請求項７に記載の装置。
【請求項１０】
前記アップリンク送信情報は、周波数オフセット補正、時間オフセット、または電力オフセットのうちの少なくとも１つを含む、請求項７に記載の装置。
【請求項１１】
前記周波数オフセット補正は、前記装置によって送信されたサウンディングフレームから測定される、請求項１０に記載の装置。
【請求項１２】
前記送信機は、さらに、
マルチユーザ多入力多出力（ＭＵ−ＭＩＭＯ）送信スキームを使用して前記アップリンクＢＡを送信するように構成される、請求項７に記載の装置。
【請求項１３】
ワイヤレス通信のための装置であって、
複数の装置に対して送信されたアップリンク送信情報を受信するための手段と、
ダウンリンクデータの受信に応答して、前記アップリンク送信情報を用いてアップリンクブロック肯定応答（ＢＡ）を送信するための手段と、
を備える装置。
【請求項１４】
前記アップリンク送信情報は、前記複数の装置に関連したアップリンクマルチユーザ多入力多出力（ＭＵ−ＭＩＭＯ）情報を含む、請求項１３に記載の装置。
【請求項１５】
前記受信するための手段は、さらに、
前記複数の装置に専用のダウンリンクデータ内で前記アップリンク送信情報を受信するように構成される、請求項１３に記載の装置。
【請求項１６】
前記アップリンク送信情報は、周波数オフセット補正、時間オフセット、または電力オフセットのうちの少なくとも１つを含む、請求項１３に記載の装置。
【請求項１７】
前記周波数オフセット補正は、前記装置によって送信されたサウンディングフレームから測定される、請求項１６に記載の装置。
【請求項１８】
前記送信するための手段は、さらに、
マルチユーザ多入力多出力（ＭＵ−ＭＩＭＯ）送信スキームを使用して前記アップリンクＢＡを送信するように構成される、請求項１３に記載の装置。
【請求項１９】
ワイヤレス通信のための局であって、
少なくとも１つのアンテナと、
前記少なくとも１つのアンテナを介して、複数の装置に対して送信されたアップリンク送信情報を受信するように構成された受信機と、
ダウンリンクデータの受信に応答して、前記少なくとも１つのアンテナを介して、前記アップリンク送信情報を用いてアップリンクブロック肯定応答（ＢＡ）を送信するように構成された送信機と、
を備える、ワイヤレス通信のための局。
【請求項２０】
コンピュータプログラムであって、
複数の装置のうちの１つの装置において、アップリンク送信情報を受信することと、
ダウンリンクデータの受信に応答して、前記１つの装置から、前記アップリンク送信情報を用いてアップリンクブロック肯定応答（ＢＡ）を送信することと、
を備える手順をコンピュータに実行させるためのコードを備えるコンピュータプログラム。
【外国語明細書】
2015029292000001.pdf